(57)【要約】【課題】ＨＤＭＩ（登録商標）を使用したシンク機器のデータ送受信方法を提供すること。【解決手段】本発明に係るＨＤＭＩ（登録商標）（Ｈｉｇｈ  Ｄｅｆｉｎｉｔｉｏｎ  Ｍｅｄｉａ  Ｉｎｔｅｒｆａｃｅ）ソース機器のデータ送受信方法は、シンク機器が接続されると、前記シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取りを要請するステップと、前記シンク機器から前記シンク機器の電力伝達支援情報を含むＥＤＩＤを受信するステップと、前記ソース機器の電力情報を送信するステップと、前記電力情報に応じる電力を受信するステップとを含む。【選択図】図１
2017517047.tif 000002
【特許請求の範囲】
【請求項１】
ＨＤＭＩ（登録商標）（Ｈｉｇｈ  Ｄｅｆｉｎｉｔｉｏｎ  Ｍｅｄｉａ  Ｉｎｔｅｒｆａｃｅ）を使用して電力を受信するソース機器のデータ送受信方法であって、
シンク機器が接続されると、前記シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を送信するステップと、
前記シンク機器から前記シンク機器の電力伝達支援情報を含むＥＤＩＤを受信するステップと、
前記ソース機器の要請電力特性情報を送信するステップと、
前記要請電力特性情報に応じる電力を受信するステップとを含む、ソース機器のデータ送受信方法。
【請求項２】
前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として受信される、請求項１に記載のソース機器のデータ送受信方法。
【請求項３】
前記ソース機器の要請電力特性情報は、前記ソース機器が支援する電力を表し、
前記ソース機器の前記要請電力特性情報を送信するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを送信するステップをさらに含む、請求項１に記載のソース機器のデータ送受信方法。
【請求項４】
前記シンク機器の電力伝達機能を活性化するステップをさらに含む、請求項１に記載のソース機器のデータ送受信方法。
【請求項５】
前記シンク機器の電力伝達機能を活性化するステップは、前記シンク機器に含まれたＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを送信するステップをさらに含む、請求項３に記載のソース機器のデータ送受信方法。
【請求項６】
ＨＤＭＩを使用して電力を受信するソース機器であって、
ＨＤＭＩを介してデータを送受信するＨＤＭＩ送信機と、
前記ＨＤＭＩを介した電力受信を制御する電力マネージングユニットと、
前記ＨＤＭＩ送信機及び前記電力マネージングユニットをコントロールするコントロールユニットとを備え、
前記ソース機器は、
シンク機器が接続されると、前記シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を送信し、
前記シンク機器から前記シンク機器の電力伝達支援情報を含むＥＤＩＤを受信し、
前記ソース機器の要請電力特性情報を送信し、
前記要請電力特性情報に応じる電力を受信する、ソース機器。
【請求項７】
前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として受信される、請求項６に記載のソース機器
【請求項８】
前記ソース機器の要請電力特性情報は、前記ソース機器が支援する電力を表し、
前記ソース機器の前記要請電力特性情報の送信は、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを送信することによって行われる、請求項６に記載のソース機器。
【請求項９】
前記ソース機器は、前記シンク機器の電力伝達機能を活性化する、請求項６に記載のソース機器。
【請求項１０】
前記シンク機器の電力伝達機能活性化は、前記シンク機器に含まれたＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを送信することによって行われる、請求項９に記載のソース機器。
【請求項１１】
ＨＤＭＩ（Ｈｉｇｈ  Ｄｅｆｉｎｉｔｉｏｎ  Ｍｅｄｉａ  Ｉｎｔｅｒｆａｃｅ））を使用して電力を送信するシンク機器のデータ送受信方法であって、
接続したソース機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を受信するステップと、
前記ソース機器に前記シンク機器の電力伝達支援情報を含むＥＤＩＤを送信するステップと、
前記ソース機器の要請電力特性情報を受信するステップと、
前記要請電力特性情報に応じる電力を送信するステップとを含む、シンク機器のデータ送受信方法。
【請求項１２】
前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として送信される、請求項１１に記載のシンク機器のデータ送受信方法。
【請求項１３】
前記ソース機器の要請電力特性情報は、前記ソース機器が支援する電力を表し、
前記ソース機器の要請電力特性情報を受信するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを受信するステップをさらに含む、請求項１１に記載のシンク機器のデータ送受信方法。
【請求項１４】
前記シンク機器の電力伝達機能を活性化するステップをさらに含む、請求項１１に記載のシンク機器のデータ送受信方法。
【請求項１５】
前記シンク機器の電力伝達機能を活性化するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを受信するステップをさらに含む、請求項１４に記載のシンク機器のデータ送受信方法。
【請求項１６】
ＨＤＭＩ（Ｈｉｇｈ  Ｄｅｆｉｎｉｔｉｏｎ  Ｍｅｄｉａ  Ｉｎｔｅｒｆａｃｅ）を使用して圧縮されたビデオデータを受信するシンク機器であって、
ＨＤＭＩを介したデータを送受信するＨＤＭＩ受信機と、
前記ＨＤＭＩを介した電力受信をコントロールする電力マネージングユニットと、
ＨＤＭＩ受信機及び前記電力マネージングユニットをコントロールするコントロールユニットとを備え、
前記シンク機器は、
接続したソース機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を受信し、
前記ソース機器に前記シンク機器の電力伝達支援情報を含むＥＤＩＤを送信し、
前記ソース機器の要請電力特性情報を受信し、
前記要請電力特性情報に応じる電力を送信する、シンク機器。
【請求項１７】
前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として送信される、請求項１６に記載のシンク機器。
【請求項１８】
前記ソース機器の要請電力特性情報は、前記ソース機器が支援する電力を表し、
前記ソース機器の要請電力特性情報を受信するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを受信することによって行われる、請求項１６に記載のシンク機器。
【請求項１９】
前記シンク機器の電力伝達機能を活性化する、請求項１６に記載のシンク機器。
【請求項２０】
前記シンク機器の電力伝達機能を活性化は、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを受信することによって行われる、請求項１６に記載のシンク機器。
【発明の詳細な説明】
【技術分野】
【０００１】
本発明は、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）を使用するデータ送受信装置及び方法に関し、特にＨＤＭＩを介して電力を伝達してソース機器を充填及び駆動できる、ＨＤＭＩを使用するデータ送受信装置及び方法に関する。
【背景技術】
【０００２】
ＨＤＭＩは、個人用コンピュータとディスプレイのインタフェース標準規格であるＤＶＩ（Ｄｉｇｉｔａｌ  Ｖｉｓｕａｌ  Ｉｎｔｅｒｆａｃｅ）をＡＶ電子製品用として開発したインタフェース／規格であって、ＨＤＭＩは、映像／音声を圧縮せずにプレイヤーからディスプレイ機器側に送信するから、ソース（ｓｏｕｒｃｅ）機器とシンク（ｓｉｎｋ）機器との間の遅延（Ｌａｔｅｎｃｙ）がほとんどなく、別のデコーダチップまたはソフトウェアを必要としないから、フォーマット互換性が高い。また、ビデオ信号、オーディオ信号、コントロール信号がケーブル一つで送信されるから、複雑であったＡＶ機器の配線を簡単にすることができ、不法複製防止のための暗号化技術（ＨＤＣＰ：  Ｈｉｇｈ-ｂａｎｄｗｉｄｔｈ  Ｄｉｇｉｔａｌ  Ｃｏｎｔｅｎｔ  Ｐｒｏｔｅｃｔｉｏｎ）を支援して著作権保護機能まで提供することができる。
【発明の概要】
【発明が解決しようとする課題】
【０００３】
現在、ＨＤＭＩのような高速有線インタフェースは、無圧縮映像を送信する用途として主に使用されている。そして、低電力スマートフォン、タブレット、ウルトラノート型パソコンなどの携帯用機器の補給拡散、及びこれらの機器での再生される高画質映像外部の大きな画面を有した機器（例：ＴＶ、プロジェクター等）で見るために、ＨＤＭＩ、ディスプレイポートなどのように高速の有線インタフェースの使用がますます増加しつつある。
【０００４】
しかしながら、長時間の間に携帯用機器を駆動する場合、最適の駆動のために持続的な外部電源供給が必要であり、このために、外部電源ケーブルを常に接続しなければならない。しかし、有線インタフェースが電力伝達機能を支援しないので、電源ケーブル接続用途として使用する機器は、別の装置を利用して外部電源と有線インタフェースを使用しなければならないという不便さがある。そのため、外部の別途装置無しで有線インタフェースを使用して電源供給を支援する方法が必要である。
【課題を解決するための手段】
【０００５】
上述の技術的課題を解決するために、本発明に係るＨＤＭＩ（Ｈｉｇｈ  Ｄｅｆｉｎｉｔｉｏｎ  Ｍｅｄｉａ  Ｉｎｔｅｒｆａｃｅ）を使用して電力を受信するソース機器のデータ送受信方法は、シンク機器が接続されると、前記シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を送信するステップと、前記シンク機器から前記シンク機器の電力伝達支援情報を含むＥＤＩＤを受信するステップと、前記ソース機器の要請電力特性情報を送信するステップと、前記要請電力特性情報に応じる電力を受信するステップとを含む。
【０００６】
また、本発明にかかるソース機器のデータ送受信方法において、前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として受信されることができる。
【０００７】
また、本発明にかかるソース機器のデータ送受信方法において、前記ソース機器の要請電力特性情報は、前記ソース機器が支援する電力を表し、前記ソース機器の前記要請電力特性情報を送信するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを送信するステップをさらに含むことができる。
【０００８】
また、本発明にかかるソース機器のデータ送受信方法は、前記シンク機器の電力伝達機能を活性化するステップをさらに含み、前記シンク機器の電力伝達機能を活性化するステップは、前記シンク機器に含まれたＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを送信するステップをさらに含むことができる。
【０００９】
また、上述の技術的課題を解決するための本発明にかかるＨＤＭＩを使用して電力を受信するソース機器は、ＨＤＭＩを介してデータを送受信するＨＤＭＩ送信機と、前記ＨＤＭＩを介した電力受信を制御する電力マネージングユニットと、前記ＨＤＭＩ送信機及び前記電力マネージングユニットをコントロールするコントロールユニットとを備え、前記ソース機器は、シンク機器が接続されると、前記シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を送信し、前記シンク機器から前記シンク機器の電力伝達支援情報を含むＥＤＩＤを受信し、前記ソース機器の要請電力特性情報を送信し、前記要請電力特性情報に応じる電力を受信することができる。
【００１０】
また、上述の技術的課題を解決するために、本発明にかかるＨＤＭＩ（Ｈｉｇｈ  Ｄｅｆｉｎｉｔｉｏｎ  Ｍｅｄｉａ  Ｉｎｔｅｒｆａｃｅ））を使用して電力を送信するシンク機器のデータ送受信方法は、接続したソース機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を受信するステップと、前記ソース機器に前記シンク機器の電力伝達支援情報を含むＥＤＩＤを送信するステップと、前記ソース機器の要請電力特性情報を受信するステップと、前記要請電力特性情報に応じる電力を送信するステップとを含む。
【００１１】
また、本発明にかかるシンク機器のデータ送受信方法において、前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として送信されることができる。
【００１２】
また、本発明にかかるシンク機器のデータ送受信方法において、前記ソース機器の要請電力特性情報は、前記ソース機器が支援する電力を表し、前記ソース機器の要請電力特性情報を受信するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを受信するステップをさらに含むことができる。
【００１３】
また、本発明にかかるシンク機器のデータ送受信方法は、前記シンク機器の電力伝達機能を活性化するステップをさらに含み、前記シンク機器の電力伝達機能を活性化するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを受信するステップをさらに含むことができる。
【００１４】
また、上述の技術的課題を解決するために、ＨＤＭＩ（Ｈｉｇｈ  Ｄｅｆｉｎｉｔｉｏｎ  Ｍｅｄｉａ  Ｉｎｔｅｒｆａｃｅ）を使用して圧縮されたビデオデータを受信するシンク機器は、ＨＤＭＩを介したデータを送受信するＨＤＭＩ受信機と、前記ＨＤＭＩを介した電力受信をコントロールする電力マネージングユニットと、ＨＤＭＩ受信機及び前記電力マネージングユニットをコントロールするコントロールユニットとを備え、前記シンク機器は、接続したソース機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を受信し、前記ソース機器に前記シンク機器の電力伝達支援情報を含むＥＤＩＤを送信し、前記ソース機器の要請電力特性情報を受信し、前記要請電力特性情報に応じる電力を送信することができる。
【発明の効果】
【００１５】
本発明によれば、ＨＤＭＩを介してソース機器とシンク機器との間の電力送受信が可能であるから、別のケーブル接続無しでソース機器の電源供給が可能である。
【００１６】
また、本発明によれば、ソース機器がＥＤＩＤ情報を介してシンク機器が電力伝達能力があるかどうかが分かるから、シンク機器の種類に応じて電力を受信することができる。
【００１７】
また、本発明によれば、ソース機器が支援する電力情報を送信することによって、シンク機器で適切なレベルで電力を送信することができる。
【００１８】
また、本発明によれば、ソース機器またはシンク機器が各々の電力情報をマッチングすることによって、最適のレベルで電力の送受信を行うことができる。
【００１９】
また、本発明によれば、ソース機器が電力受信が必要な場合、ＳＣＤＣＳを介してシンク機器の電力伝達機能を活性化／非活性化できる。したがって、シンク機器の電力伝達機能をユーザが一々設定変更しなくても、ソース機器が必要によってシンク機器の設定を変更できるから、ユーザ側の不便さを解消できる。
【図面の簡単な説明】
【００２０】
【図１】本発明の一実施の形態にかかるＨＤＭＩシステム及びＨＤＭＩシステムに含まれたデータ送受信チャネルを示す。
【００２１】
【図２】本発明の実施の形態にかかるＨＤＭＩシステムにおいて、ソース機器及びシンク機器を示す。
【００２２】
【図３】本発明の実施の形態にかかるＥＤＩＤストラクチャーを示した図である。
【００２３】
【図４】ＥＤＩＤエクステンションブロックの実施の形態を示す。
【００２４】
【図５】ＥＤＩＤエクステンションブロックの実施の形態を示す。
【００２５】
【図６】本発明の実施の形態にかかるＨＦ（ＨＤＭＩ  Ｆｏｒｕｍ）−ＶＳＤＢ（Ｖｅｎｄｏｒ−Ｓｐｅｃｉｆｉｃ  Ｄａｔａ  Ｂｌｏｃｋ）を示す。
【００２６】
【図７】本発明の実施の形態にかかるＨＦ−ＶＳＩＦ（ＨＤＭＩ  Ｆｏｒｕｍ−Ｖｅｎｄｏｒ  Ｓｐｅｃｉｆｉｃ  ＩｎｆｏＦｒａｍｅ）を示す。
【００２７】
【図８】本発明の実施の形態にかかるＳＣＤＣ（Ｓｔａｔｕｓ  ａｎｄ  Ｃｏｎｔｒｏｌ  Ｄａｔａ  Ｃｈａｎｎｅｌ）ストラクチャーを示す。
【００２８】
【図９】本発明の実施の形態にかかるＨＤＭＩを介したＡ／Ｖデータ送受信方法を示す。
【００２９】
【図１０】本発明の実施の形態にかかるＨＤＭＩを介した電力送受信方法を示す。
【００３０】
【図１１】本発明の実施の形態にかかるＨＤＭＩを介した電力送受信方法であって、ＳＣＤＣを使用して電力マッチングを行う方法を示す。
【００３１】
【図１２】本発明の実施の形態にかかるＨＤＭＩを介した電力送受信方法であって、ＳＣＤＣを使用して電力マッチングを行う方法を示す。
【００３２】
【図１３】本発明の実施の形態にかかるＨＤＭＩを介した電力送受信方法を示す。
【００３３】
【図１４】本発明の実施の形態にかかるＨＤＭＩを介した電力送受信方法であって、ＳＣＤＣを使用してマッチングされた電力に対する情報を送信する方法を示す。
【００３４】
【図１５】本発明の実施の形態にかかるシンク機器の電力伝達制御方法を示す。
【００３５】
【図１６】本発明の実施の形態にかかるシンク機器の電力伝達制御方法であって、ＳＣＤＣを使用して電力伝達を制御する方法を示す。
【００３６】
【図１７】本発明の実施の形態にかかるＨＦ−ＶＳＤＢを示す。
【発明を実施するための形態】
【００３７】
本発明の好ましい実施の形態について具体的に説明し、その例は、添付された図面に示す。添付された図面を参照した以下の詳細な説明は、本発明の実施の形態によって具現されることができる実施の形態のみを説明するよりは、本発明の好ましい実施の形態を説明するためである。次の詳細な説明は、本発明に対する徹底した理解を提供するために細部事項を含む。しかしながら、本発明がこのような細部事項無しで実行されうることは、当業者にとって自明である。
【００３８】
本発明で使用される大部分の用語は、該当分野において広く使用される一般的なもの等から選択されるが、一部用語は、出願人により任意に選択され、その意味は、必要により次の説明において詳細に述べる。よって、本発明は、用語の単純な名称または意味でない用語の意図した意味に基づいて理解されなければならない。
【００３９】
本明細書において、フィールドは、データ構造の一部を指し示す用語であって、これは情報という用語で呼ばれることもできる。
【００４０】
図１は、本発明の一実施の形態にかかるＨＤＭＩシステム及びＨＤＭＩシステムに含まれたデータ送受信チャネルを示す。
【００４１】
ＨＤＭＩを使用してビデオ／オーディオ／コントロールデータを送受信する機器を共にＨＤＭＩシステムと呼ぶことができ、ＨＤＭＩシステムは、ソース機器１０１０、シンク機器１０２０及びＨＤＭＩケーブルを含むことができる。ＨＤＭＩシステムにおいて、ＨＤＭＩを介してビデオ／オーディオデータを送信する機器がソース機器１０１０に該当し、ＨＤＭＩを介してビデオ／オーディオデータを受信する機器がシンク機器１０２０に該当し、両機器を接続してデータ送受信を支援するＨＤＭＩケーブルが提供される。ただし、本発明では、電力を受信する機器をソース機器１０１０と、電力を送信する機器をシンク機器１０２０と呼ぶことができる。
【００４２】
図１のように、ＨＤＭＩケーブル及びコネクターは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）データチャネル及びＴＭＤＳクロックチャネルを提供する４個のチャネルのペアリングを行うことができる。ＴＭＤＳデータチャネルは、ビデオデータ、オーディオデータ及び付加（ａｕｘｉｌｉａｒｙ）データを伝達するのに使用されることができる。
【００４３】
追加的に、ＨＤＭＩシステムは、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）  ＤＤＣ（Ｄｉｓｐｌａｙ  Ｄａｔａ  Ｃｈａｎｎｅｌ）を提供する。ＤＤＣは、一つのソース機器と一つのシンク機器との間の構成（Ｃｏｎｆｉｇｕｒａｔｉｏｎ）及び状態（ｓｔａｔｕｓ）情報の交換に使用される。ＣＥＣプロトコルは、ユーザ環境の多様なオーディオビジュアル製品間のハイ−レベルのコントロール機能を提供でき、オプショナル（ｏｐｔｉｏｎａｌ）に使用されることもできる。また、オプショナルＨＥＡＣ（ＨＤＭＩ  Ｅｔｈｅｒｎｅｔ  ａｎｄ  Ａｕｄｉｏ  Ｒｅｔｕｒｎ  Ｃｈａｎｎｅｌ）は、ＴＭＤＳから反対方向でＡＲＣ（Ａｕｄｉｏ  Ｒｅｔｕｒｎ  Ｃｈａｎｎｅｌ）及び接続した機器間のイーサネット（登録商標）（Ｅｔｈｅｒｎｅｔ（登録商標））互換データネットワーキングを提供することもできる。
【００４４】
ビデオデータ、オーディオデータ及び付加データは、３個のＴＭＤＳデータチャネルを介して送信／受信されることができる。ＴＭＤＳクロックは、通常、ビデオピクセルレートを運用（ｒｕｎ）し、ＴＭＤＳクロックチャネルを介して送信される。ＴＭＤＳクロックは、ＨＤＭＩ受信機で３個のＴＭＤＳデータチャネルにおけるデータリカバリー（ｒｅｃｏｖｅｒｙ）のための基準周波数（ｆｒｅｑｕｅｎｃｙ  ｒｅｆｅｒｅｎｃｅ）として使用されることができる。ソース機器において、ＴＭＤＳデータチャネル当たりの８ビットのデータは、１０ビットのＤＣバランスされたトランジション（ｔｒａｎｓｉｔｉｏｎ）が最小化されたシーケンスに変換されて、ＴＭＤＳクロック周期（ｐｅｒｉｏｄ）当たりの１０ビットのレート（ｒａｔｅ）でシリアルに送信されることができる。
【００４５】
ＴＭＤＳチャネルを介してオーディオデータ及び付加データを送信するために、ＨＤＭＩは、パケット構造を使用する。オーディオデータ及びコントロールデータのための高い信頼度（ｒｅｌｉａｂｉｌｉｔｙ）を達成すべく、データは、ＢＣＨエラー訂正コード及びエラー減少コーディングを使用して生成される１０ビットのワードとして送信されることができる。
【００４６】
ソース機器は、ＤＤＣ（Ｄｉｓｐｌａｙ  Ｄａｔａ  Ｃｈａｎｎｅｌ）シンク機器のＥ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）を読み取って、シンク機器の構成情報及び可能な機能を知ることができる。Ｅ−ＥＤＩＤは、以下、ＥＤＩＤ情報と呼ぶこともできる。
【００４７】
ユーティリティラインは、ＨＥＡＣのようなオプショナルな拡張機能に使用されることができる。
【００４８】
図２は、本発明の実施の形態にかかるＨＤＭＩシステムにおいて、ソース機器及びシンク機器を示す。
【００４９】
ＨＤＭＩシステムにおいて、ＨＤＭＩを介してビデオ／オーディオデータを送信する機器がソース機器２１００に該当し、ＨＤＭＩを介してビデオ／オーディオデータを受信する機器がシンク機器２２００に該当する。
【００５０】
ソース機器（ｓｏｕｒｃｅ  ｄｅｖｉｃｅ）２１００は、ディスプレイユニット２１１０、ユーザ入力インタフェースユニット２１２０、電力コントロールユニット（Ｖｉｄｅｏ  Ｅｎｃｏｄｅｒ）２１３０、コントロールユニット２１４０、ＨＤＭＩ送信機２１５０、メモリユニット２１６０、ストレージユニット２１７０、マルチメディアユニット２１８０、またはパワー供給ユニット２１９０のうち、少なくとも一つを備える。シンク機器２２００は、ＥＤＩＤ  ＥＥＰＲＯＭ２２１０、電力コントロールユニット２２２０、ディスプレイユニット２２３０、ユーザ入力インタフェースユニット２２４０、ＨＤＭＩ受信機２２５０、コントロールユニット２２６０、パワー供給ユニット２２７０、メモリユニット２２８０またはマルチメディアユニット２２９０のうち、少なくとも一つを備える。以下、同じ動作を行うユニットについての説明は重複しないことにする。
【００５１】
ソース機器２１００は、ストレージユニットに格納されたコンテンツをシンク機器２２００に送信またはストリーミングする物理的装置を示す。ソース機器２１００は、シンク機器に要請（ｒｅｑｕｅｓｔ）メッセージを送信するか、またはシンク機器から受信した要請メッセージを受信して処理できる。また、ソース機器２１００は、送信した要請メッセージに対してシンク機器２２００が送信する応答メッセージを処理してユーザに伝達するＵＩを提供でき、ソース機器２１００がディスプレイユニット２１１０を備える場合には、このＵＩをディスプレイに提供できる。
【００５２】
シンク機器２２００は、ソース機器２１００からコンテンツを受信し、ソース機器２１００に要請メッセージを送信するか、またはソース機器２１００から受信したメッセージを処理して応答メッセージを送信できる。シンク機器２２００もやはりソース機器２１００から受信する応答メッセージを処理して、ユーザに伝達するＵＩを提供でき、シンク機器２２００がディスプレイユニット２２３０を備える場合には、このＵＩをディスプレイに提供できる。
【００５３】
ソース機器２１００及びシンク機器２２００は、ユーザのアクションまたは入力を受信するユーザ入力インタフェースユニット２１２０、２２４０を備えることができ、実施の形態としてユーザ入力インタフェース２１２０、２２４０は、リモートコントローラ、音声受信／認識装置、タッチ入力センシング／受信装置などに該当できる。
【００５４】
ソース機器のコントロールユニット２１４０及びシンク機器のコントロールユニット２２６０は、それぞれ機器の他のユニットの動作をコントロールし、特に本発明では、ＨＤＭＩを介した電力送受信その他の動作をコントロールできる。
【００５５】
メモリユニット２１６０、２２８０は、多様な種類のデータが一時的に格納される揮発的性格の物理装置を示す。
【００５６】
ストレージユニット２１７０は、多様な種類のデータを格納することができる非揮発性性格の物理的装置を示す。
【００５７】
ＥＤＩＤ  ＥＥＰＲＯＭ２２１０は、ＥＤＩＤ情報を格納しているＥＥＰＲＯＭを示す。
【００５８】
上述のメモリユニット、ストレージユニット、ＥＤＩＤ  ＥＥＰＲＯＭは、全部データを格納する役割を果たし、これを総称してメモリユニットと呼ぶこともできる。
【００５９】
ディスプレイユニット２１１０、２２３０は、ＨＤＭＩを介して受信されたデータまたはコンテンツストレージに格納されたデータ及びＵＩなどをコントロールユニットの制御により画面にディスプレイするユニットを示す。
【００６０】
マルチメディアユニット２１８０、２２９０は、多様な種類のマルチメディア再生を行う。マルチメディアユニット２１１８０、２２９０は、コントロールユニット２１４０、２２６０と別に具現化されるか、またはコントロールユニットと一つの物理的構成として具現されることもできる。
【００６１】
パワー供給ユニット２１９０、２２７０は、ソース機器及びシンク機器並びにこれらに備えられたサブユニットの動作に必要な電力を供給する。図２では、図示していないが、パワー供給ユニットは、ＨＤＭＩケーブル及びＨＤＭＩ送受信機と接続されることもできる。
【００６２】
ＨＤＭＩ送信機２１５０は、ソース機器２１００に備えられてＨＤＭＩを介してデータを送受信するユニットであって、オーディオ／ビデオデータだけでなく機器間のコマンド、要請、アクション、応答などのメッセージを含むデータ送受信を行う。
【００６３】
ソース機器側電力マネージングユニット２１３０は、ＨＤＭＩを介した電力受信をコントロールする。電力マネージングユニット２１３０は、コントロールユニット２１４０のコントロールに応じて、電力受信を開始／中断することもできる。
【００６４】
ＨＤＭＩ受信機２２５０は、シンク機器２２００に備えられてＨＤＭＩを介してデータを送受信するユニットであって、オーディオ／ビデオデータだけでなく機器間のコマンド、要請、アクション、応答などのメッセージを含むデータ送受信を行う。
【００６５】
シンク機器側の電力マネージングユニット２２２０は、ＨＤＭＩを介した電力送信をコントロールする。電力マネージングユニット２２２０は、コントロールユニット２１６０のコントロールにしたがって、電力送信を開始／中断することもできる。
【００６６】
以下、ＨＤＭＩで提供するチャネル、データ構造、機能について、さらに詳細に説明する。
【００６７】
上述のように、ＨＤＭＩシステムは、ＶＥＳＡ（Ｖｉｄｅｏ  Ｅｌｅｃｔｒｏｎｉｃｓ  Ｓｔａｎｄａｒｄ  Ａｓｓｏｃｉａｔｉｏｎ）で定義したモニター及びコンピュータグラフィックアダプタ間のデジタル情報送信のためのプロトコル標準であるＤＤＣ（Ｄｉｓｐｌａｙ  Ｄａｔａ  Ｃｈａｎｎｅｌ）を提供する。ＤＤＣを介したＨＤＭＩ機器は、モニターで支援可能なディスプレイモード情報をグラフィックアダプタに送信し、グラフィックアダプタは、これに合せてモニターに映像を送信できる。ＤＤＣ標準が制定される前、ＶＧＡ標準では、モニタータイプを認識するために、アナログＶＧＡコネクターの４通りのピン（Ｐｉｎ）１１、１２、４、１５を使用し、このうち、Ｐｉｎ  １１、１２、４だけが使用され、７通りのモニタータイプを認識することができた。ＤＤＣに対したバージョン別内容は、以下のとおりである。
＊＊ＤＤＣバージョン１(１９９４年制定）
【００６８】
−モニタリング情報を記述するバイナリファイルフォーマットであるＥＤＩＤ（Ｅｘｔｅｎｄｅｄ  Ｄｉｓｐｌａｙ  Ｉｄｅｎｔｉｆｉｃａｔｉｏｎ  Ｄａｔａ）を定義する。
【００６９】
−ピン１２をデータラインとして使用し、１２８バイトのＥＤＩＤブロックを連続的にモニターからコンピュータに送信する。
＊＊ＤＤＣバージョン２（１９９６年制定）
【００７０】
−ＥＤＩＤをＤＤＣで定義せずに並行する独立的な標準と定義する。
【００７１】
−Ｉ２Ｃシリアルバスに基づいて定義され、Ｐｉｎ１２は、Ｉ２Ｃバスのデータライン、Ｐｉｎ１５は、Ｉ２Ｃバスのクロックラインとして使用する。
【００７２】
Ｐｉｎ９は、モニター電源がオフになっていてもＥＥＰＲＯＭに格納されたＥＤＩＤを読み出すためにコンピュータからモニターに５Ｖ  ＤＣ電源５０ｍＡまで）を印加する用途として使用される。
【００７３】
−８ビットデータオフセットで２８バイト〜２５６バイトまでのＥＤＩＤ格納用量を許容。
＊＊Ｅ−ＤＤＣ
【００７４】
−ＤＤＣバージョン１及び２の代わりをする標準として１９９９年にバージョン１が制定され、Ｅ−ＥＤＩＤ（Ｅｎｈａｎｃｅｄ  ＥＤＩＤ）使用のために、ディスプレイ情報格納用量を３２Ｋｂｙｔｅまで許容する。
【００７５】
−８ビットセグメントインデックス（０ｘ００〜０ｘ７Ｆ）を使用する新しいＩ２Ｃアドレッシングスキームを適用して、１２８セグメント（１セグメント＝２５６バイト）をアクセスでき、これによって３２バイトまでアクセスが可能である。
【００７６】
−２００４年にＥ−ＤＤＣバージョン１．１が制定され、ＣＥ機器及びＶＧＡ以外にＨＤＭＩのようなビデオインタフェースも支援する内容が含まれる。
【００７７】
−２００７年にＥ−ＤＤＣバージョン１．２が制定され、ディスプレイポート及びディスプレイＩＤ支援内容が含まれる。
【００７８】
以下、ＤＤＣを介して提供されるＥＤＩＤについて説明する。
【００７９】
図３は、本発明の実施の形態にかかるＥＤＩＤストラクチャーを示した図である。
【００８０】
ＥＤＩＤは、ＶＥＳＡで定義されたディスプレイ装置に対する多様な情報が含まれたデータストラクチャーであって、ＤＤＣチャネルを介してソース機器に送信されるか、またはソース機器により読み取られることができる。ＥＤＩＤの場合、バージョン１．３のデータストラクチャーがＩＴディスプレイ装置、ＣＥディスプレイ装置及びビデオインタフェース（ＨＤＭＩ）で使用されている。
【００８１】
図３は、ＥＤＩＤデータストラクチャーで、各々のアドレスで表す情報を簡略に示す。
【００８２】
図４ないし図５は、ＥＤＩＤエクステンションブロックの実施の形態を示す。
【００８３】
図４は、ＥＤＩＤエクステンション（Ｅｘｔｅｎｓｉｏｎ）ブロックを、図５（ａ）は、ビデオデータブロックを、図５（ｂ）は、オーディオデータブロックを、及び図５（ｃ）は、スピーカー割り当て（ａｌｌｏｃａｔｉｏｎ）データブロックをそれぞれ示す。
【００８４】
ＥＤＩＤに記述されたタイミング情報は、ＩＴディスプレイ装置のためのものであって、ＣＥディスプレイ装置のタイミング情報を表すために、ＣＥＡ−８６１で定義したＥＤＩＤ  １．３エクステンションブロックを使用することができる。バージョン３のＣＥＡエクステンションブロックは、ＣＥＡ−８６１Ｂ標準で定義され、４個のオプショナルデータブロック（ビデオ、オーディオ、スピーカー割り当て、ベンダー特定（Ｖｅｎｄｏｒ  Ｓｐｅｃｉｆｉｃ）を明示する。
【００８５】
図５（ａ）のビデオデータブロックにおいて、Ｓｈｏｒｔ  Ｖｉｄｅｏ  Ｄｅｓｃｒｉｐｔｏｒは、ＣＥＡ−８６１で定義したビデオ識別コード（Ｖｉｄｅｏ  Ｉｄｅｎｔｉｆｉｃａｔｉｏｎ  Ｃｏｄｅ）を示す。図５（ｂ）のオーディオデータブロックにおいて、Ｓｈｏｒｔ  Ａｕｄｉｏ  Ｄｅｓｃｒｉｐｔｏｒは、ＣＥＡ−８６１で定義したオーディオフォーマットコード（Ａｕｄｉｏ  Ｆｏｒｍａｔ  Ｃｏｄｅ）を示す。図５（ｃ）のスピーカー割り当てデータブロックにおいて、Ｓｐｅａｋｅｒ  Ａｌｌｏｃａｔｉｏｎ  Ｄａｔａ  Ｂｌｏｃｋ  Ｄｅｓｃｒｉｐｔｏｒは、ＣＥＡ−８６１で定義したデータブロックペイロード（Ｄａｔａ  Ｂｌｏｃｋ  Ｐａｙｌｏａｄ）を示す。
【００８６】
図６は、本発明の実施の形態にかかるＨＦ（ＨＤＭＩ  Ｆｏｒｕｍ）−ＶＳＤＢ（Ｖｅｎｄｏｒ−Ｓｐｅｃｉｆｉｃ  Ｄａｔａ  Ｂｌｏｃｋ）を示す。
【００８７】
図６のＨＦ−ＶＳＤＢは、ベンダー−特定データが定義されることができるデータブロックであって、ＨＤＭＩは、このデータブロックを使用してＨＤＭＩ特定データを定義することができる。ＨＦ−ＶＳＤＢは、シンク機器のＥ−ＥＤＩＤに含まれることができ、含まれる場合、シンク機器のＥ−ＥＤＩＤ内のＣＥＡエクステンションバージョン３に位置できる。
【００８８】
図６のＨＦ−ＶＳＤＢに含まれたフィールドについての説明は、以下のとおりである。
【００８９】
−Ｌｅｎｇｔｈフィールド：データブロックの全体長（ｔｏｔａｌ  ｌｅｎｇｔｈ）であって、最小値は７、最大値は３１である。
【００９０】
−ＩＥＥＥ  ＯＵＩフィールド：ＩＥＥＥ  Ｏｒｇａｎｉｚａｔｉｏｎａｌｌｙ  Ｕｎｉｑｕｅ  Ｉｄｅｎｔｉｆｉｅｒであって、ＨＤＭＩフォーラムに割り当てられたＯＵＩは、０ｘＣ４５ＤＤ８である。
【００９１】
−Ｖｅｒｓｉｏｎフィールド：ＨＦ−ＶＳＤＢ（ＨＤＭＩ  Ｆｏｒｕｍ−ＶＳＤＢ）のバージョンナンバーであって、値は１である。
【００９２】
−Ｍａｘ＿ＴＭＤＳ＿Ｃｈａｒａｃｔｅｒ＿Ｒａｔｅフィールド：支援するｍａｘｉｍｕｍ  ＴＭＤＳ  Ｃｈａｒａｃｔｅｒ  Ｒａｔｅを表し、シンク機器が３４０Ｍｃｓｃ以上を支援しないと、０にセットし、支援すると、１にセットする。
【００９３】
−３Ｄ＿ＯＳＤ＿Ｄｉｓｐａｒｉｔｙ：１にセットされると、Ｓｉｎｋ機器が３Ｄ＿ＯＳＤ＿Ｄｉｓｐａｒｉｔｙ  Ｉｎｄｉｃａｔｉｏｎ受信を支援することを表す。
【００９４】
−Ｄｕａｌ＿ｖｉｅｗ：１にセットされると、シンク機器がＤｕａｌ＿ｖｉｅｗシグナリング受信を支援することを表す。
【００９５】
−Ｉｎｄｅｐｅｎｄｅｎｔ＿ｖｉｅｗフィールド：１にセットされると、シンク機器が３Ｄ  ｉｎｄｅｐｅｎｄｅｎｔ  ｖｉｅｗシグナリング受信を支援することを表す。
【００９６】
−ＬＴＥ＿３４０Ｍｃｓｃ＿ｓｃｒａｍｂｌｅフィールド：１にセットされると、シンク機器がＴＭＤＳ  ｃｈａｒａｃｔｅｒ  ｒａｔｅ３４０Ｍｃｓｓ以下でスクランブリングを支援することを表す。そして、ＳＣＤＣ＿Ｐｒｅｓｅｎｔが０にセットされると、このｆｌａｇもまた０にセットされなければならない。
【００９７】
−ＲＲ＿Ｃａｐａｂｌｅフィールド：１にセットされると、Ｓｉｎｋ機器がＳＣＤＣ読み取り要請（ｒｅａｄ  ｒｅｑｕｅｓｔ）を開始（ｉｎｉｔｉａｔｉｎｇ）できるのを表す。そして、ＳＣＤＣ＿Ｐｒｅｓｅｎｔが０にセットされると、このｆｌａｇもまた０にセットされなければならない。
【００９８】
−ＳＣＤＣ＿Ｐｒｅｓｅｎｔフィールド：１にセットされると、ＳｉｎｋがＳＣＤＣ機能を支援することを表す。
【００９９】
−ＤＣ＿４８ｂｉｔ＿４２０、ＤＣ＿３６ｂｉｔ＿４２０、ＤＣ＿３０ｂｉｔ＿４２０：１にセットされると、、Ｄｅｅｐ  Ｃｏｌｏｒ４：２：０ピクセルエンコーディングをコンポーネント（ｃｏｍｐｏｎｅｎｔ）当たりの１０ｂｉｔ／１２ｂｉｔ／１６ｂｉｔを支援することを表す。
【０１００】
本発明では、ＥＤＩＤのＨＦ−ＶＳＤＢを介してシンク機器の電力伝達支援情報をシグナリングでき、これについて後述する。
【０１０１】
図７は、本発明の実施の形態にかかるＨＦ−ＶＳＩＦ（ＨＤＭＩ  Ｆｏｒｕｍ−Ｖｅｎｄｏｒ  Ｓｐｅｃｉｆｉｃ  ＩｎｆｏＦｒａｍｅ）を示す。
【０１０２】
図７において、図７（ａ）は、ＨＦ−ＶＳＩＦパケットヘッダを、図７（ｂ）は、ＨＦ−ＶＳＩＦパケットコンテンツをそれぞれ示し、これらが共にインフォフレームを構成できる。ＨＦ−ＦＳＩＦは、インフォフレームの一つであって、
【０１０３】
ＨＦ−ＶＳＩＦパケットは、ストリームコンテンツを完全に（ｆｕｌｌｙ）識別するための補助（ａｎｃｉｌｌａｒｙ）情報を要請するフィーチャー（ｆｅａｔｕｒｅ（ｓ））を支援するために提供され、ソース機器からシンク機器に送信されることができる。実施の形態として、ＨＦ−ＶＳＩＦは、３Ｄビデオ及び２１６０ｐビデオの送信のために定義されることもできる。
【０１０４】
図７（ａ）のＨＦ−ＶＳＩＦパケットヘッダ及び図７（ｂ）のＨＦ−ＶＳＩＦパケットコンテンツに含まれたフィールドについての説明は、以下のとおりである。
＊＊ＨＦ−ＶＳＩＦパケットヘッダ
【０１０５】
−Ｐａｃｋｅｔ  Ｔｙｐｅフィールド：Ｐａｙｌｏａｄ形態を表し、ＨＦ−ＶＳＩＦは０ｘ８１で区分される。
【０１０６】
−Ｖｅｒｓｉｏｎフィールド：ＨＦ−ＶＳＩＦのｖｅｒｓｉｏｎ  ｎｕｍｂｅｒであって、値は１である。
【０１０７】
−Ｌｅｎｇｔｈフィールド：Ｐａｙｌｏａｄの長さを表す。
＊＊ＨＦ−ＶＳＩＦパケットコンテンツ
【０１０８】
−３Ｄ＿Ｖａｌｉｄフィールド：３Ｄビデオデータ送信があることを表し、１に設定されると、３Ｄ＿Ｆ＿Ｓｔｒｕｃｔｕｒｅ、３Ｄ＿Ａｄｄｉｏｔｉｏｎａｌ＿Ｉｎｆｏ＿Ｐｒｅｓｅｎｔ、３Ｄ＿Ｍｅｔａ＿Ｐｒｅｓｅｎｔ、及び３Ｄ＿Ｆ＿Ｅｘｔ＿Ｄａｔａフィールドが活性化されなければならない。
【０１０９】
−３Ｄ＿Ｆ＿Ｓｔｒｕｃｔｕｒｅフィールド：３Ｄビデオデータの送信フォーマット（ｓｉｄｅ−ｂｙ−ｓｉｄｅ、ｔｏｐ−ａｎｄ−ｂｏｔｔｏｍ等）を表す。
【０１１０】
−３Ｄ＿Ａｄｄｉｔｉｏｎａｌ＿Ｉｎｆｏ＿Ｐｒｅｓｅｎｔフィールド：３Ｄ＿ＤｕａｌＶｉｅｗ、３Ｄ＿ＶｉｅｗＤｅｐｅｎｄｅｎｃｙ、及び３Ｄ＿Ｐｒｅｆｅｒｒｅｄ２Ｄ  ｖｉｅｗ情報が追加されるとき、１に設定する。
【０１１１】
−３Ｄ＿Ｄｉｓｐａｒｉｔｙ＿Ｄａｔａ＿Ｐｒｅｓｅｎｔフィールド：３Ｄディスパリティ（ｄｉｓｐａｒｉｔｙ）データが存在するとき、１に設定する。
【０１１２】
−３Ｄ＿Ｍｅｔａ＿Ｐｒｅｓｅｎｔフィールド：３Ｄメタデータが存在するとき、１に設定する。
【０１１３】
−３Ｄ＿Ｆ＿Ｅｘｔ＿Ｄａｔａフィールド：３Ｄビデオデータの送信フォーマットに従って、ｓｕｂ−ｓａｍｐｌｉｎｇ方法を表す。
【０１１４】
−３Ｄ＿Ｄｕａｌ＿Ｖｉｅｗフィールド：３Ｄデュアルビューが存在するとき、１に設定する。
【０１１５】
−３Ｄ＿ＶｉｅｗＤｅｐｅｎｄｅｎｃｙフィールド：ｒｉｇｈｔ  ｖｉｅｗまたはｌｅｆｔ  ｖｉｅｗのｃｏｄｅｄ  ｖｉｅｗに対するｄｅｐｅｎｄｅｎｃｙを表す。
【０１１６】
−３Ｄ＿Ｐｒｅｆｅｒｒｅｄ２Ｄ  ｖｉｅｗフィールド：ｒｉｇｈｔ  ３Ｄ  ｖｉｅｗ及びｌｅｆｔ  ３Ｄ  ｖｉｅｗのうち、どの３Ｄ  ｖｉｅｗが２Ｄ  ｖｉｅｗにさらに適合するかを表す。
【０１１７】
−３Ｄ＿ＤｉｓｐａｒｉｔｙＤａｔａ＿Ｖｅｒｓｉｏｎフィールド：３Ｄディスパリティデータのｖｅｒｓｉｏｎを表す。
【０１１８】
−３Ｄ＿ＤｉｓｐａｒｉｔｙＤａｔａ＿ｌｅｎｇｔｈフィールド：３Ｄディスパリティデータの長さを表す
【０１１９】
−３Ｄ＿ＤｉｓｐａｒｉｔｙＤａｔａ＿１〜３Ｄ＿ＤｉｓｐａｒｉｔｙＤａｔａ＿Ｊフィールド：３Ｄディスパリティデータを記述する。
【０１２０】
−３Ｄ＿ＭｅｔａＤａｔａ＿ｔｙｐｅフィールド：３Ｄメタデータのタイプを表す。
【０１２１】
−３Ｄ＿ＭｅｔａＤａｔａ＿ｌｅｎｇｔｈフィールド：３Ｄメタデータの長さを表す。
【０１２２】
−３Ｄ＿Ｍｅｔａｄａｔａ＿１〜３Ｄ＿Ｍｅｔａｄａｔａ＿Ｋフィールド：３Ｄメタデータを記述する。
【０１２３】
図８は、本発明の実施の形態にかかるＳＣＤＣ（Ｓｔａｔｕｓ  ａｎｄ  Ｃｏｎｔｒｏｌ  Ｄａｔａ  Ｃｈａｎｎｅｌ）ストラクチャーを示す。
【０１２４】
ＳＣＤＣ（Ｓｔａｔｕｓ  ａｎｄ  Ｃｏｎｔｒｏｌ  Ｄａｔａ  Ｃｈａｎｎｅｌ）は、ソース機器とシンク機器とがデータを交換するポイント−ツー−ポイント（Ｐｏｉｎｔ−ｔｏ−Ｐｏｉｎｔ）通信プロトコルに該当する。ＳＣＤＣ通信は、上述のＤＤＣチャネル（ラインＩ２Ｃ）を使用することができる。すなわち、ＳＣＤＣは、ＨＤＭＩソース機器とシンク機器との間のデータ交換を可能にするＩ２Ｃシリアル通信基盤の一対一通信プロトコルである。ＳＣＤＣは、Ｉ２Ｃスレーブであるシンク機器がＩ２Ｃマスターであるソース機器に状態確認読み取り（ｓｔａｔｕｓ  ｃｈｅｃｋ  ｒｅａｄ）を要請し、これを受信したソース機器が該当状態（ｓｔａｔｕｓ）をシンク機器から読み込むメカニズムを含む。
【０１２５】
ＳＣＤＣＳ（ＳＣＤＣ  Ｓｔｒｕｃｔｕｒｅ）は、シンク機器のメモリに格納され、図８の構造のようなデータを含むことができる。図８におけるＲ／Ｗは、ソース機器観点で、シンク機器に格納されたＳＣＤＣＳのデータを、ソース機器は、読み取り（ｒｅａｄ）だけが可能であるか、または読み取り／書き込み（ｒｅａｄ／ｗｒｉｔｅ）がすべて可能であることを示す。
【０１２６】
図８のＳＣＤＣＳに含まれるフィールドについての説明は、以下のとおりである。
【０１２７】
−Ｓｉｎｋ  Ｖｅｒｓｉｏｎフィールド：ＳＣＤＣＳ支援（ｃｏｍｐｌｉａｎｔ）シンク機器のバージョン情報を表示。１に設定する。
【０１２８】
−Ｓｏｕｒｃｅ  Ｖｅｒｓｉｏｎフィールド：ＳＣＤＣＳ支援（ｃｏｍｐｌｉａｎｔ）ソース機器がシンク機器からＥ−ＥＤＩＤを読み込み、Ｅ−ＥＤＩＤのＳＣＤＣ＿Ｐｒｅｓｅｎｔ＝１に設定されていると、ＳＣＤＣＳのＳｏｕｒｃｅ  Ｖｅｒｓｉｏｎを１に設定する。
【０１２９】
−Ｕｐｄａｔｅ  Ｆｌａｇｓ（Ｕｐｄａｔｅ＿０、Ｕｐｄａｔｅ＿１）フィールド：シンク機器がソース機器に知らせなければならない情報（Ｓｔａｔｕｓ、Ｃｈａｒａｃｔｅｒ  Ｅｒｒｏｒ  Ｄｅｔｅｃｔ等）に変化が生じると、該当ｂｉｔを１に設定する。
【０１３０】
−ＴＭＤＳ  Ｃｏｎｆｉｇｕｒａｔｉｏｎ（ＴＭＤＳ＿Ｃｏｎｆｉｇ）フィールド：ＴＭＤＳ＿Ｂｉｔ＿Ｃｌｏｃｋ＿ＲａｔｉｏとＳｃｒａｍｂｌｉｎｇ＿Ｅｎａｂｌｅがそれぞれ１ｂｉｔずつ占有しており、ソース機器がシンク機器のスクランブリング機能を活性化しようとすると、該当ｂｉｔを１に設定。ＴＭＤＳ＿Ｂｉｔ＿Ｃｌｏｃｋ＿Ｒａｔｉｏが１／１０であると０に、１／４０であると、１に設定。
【０１３１】
−Ｓｃｒａｍｂｌｅｒ  Ｓｔａｔｕｓフィールド：シンク機器がスクランブルされたコントロールコードシーケンスを感知するとき、該当ｂｉｔを１に設定。
【０１３２】
−構成（Ｃｏｎｆｉｇｕｒａｔｉｏｎ（Ｃｏｎｆｉｇ＿０）フィールド：ソース及びシンク機器のＣａｐａｂｉｌｉｔｙ関連情報をｃｏｎｆｉｇｕｒａｔｉｏｎするフィールドとして、現在は、Ｓｏｕｒｃｅ機器がＳｉｎｋ機器のＲｅａｄ  Ｒｅｑｕｅｓｔを支援するかを表すことができるＲＲ＿Ｅｎａｂｌｅ  ｆｉｅｌｄだけがある。
【０１３３】
−Ｓｔａｔｕｓ  Ｆｌａｇｓ（Ｓｔａｔｕｓ＿Ｆｌａｇ＿０、Ｓｔａｔｕｓ＿Ｆｌａｇ＿１）フィールド：Ｃｌｏｃｋ、ｃｈａｎｎｅｌ  ０、１、及びそ２を介して受信されたｄａｔａが成功的にｄｅｃｏｄｉｎｇされたかどうかを表す。
【０１３４】
−Ｅｒｒ＿Ｄｅｔ＿０〜２＿Ｌ／Ｈフィールド：チャネル０〜３でディテクトされたエラーカウンタのＬＳＢ及びＭＳＢをそれぞれ表す。
【０１３５】
−Ｅｒｒ＿Ｄｅｔ＿Ｃｈｅｃｋｓｕｍフィールド：チェックサム（Ｃｈｅｃｋｓｕｍ）を含む７個のレジスタのエラーディテクション値の１バイト合計（ｓｕｍ）が０になるように具現される。
【０１３６】
図９は、本発明の実施の形態にかかるＨＤＭＩを介したＡ／Ｖデータ送受信方法を示す。
【０１３７】
図９は、ソース機器がシンク機器に非圧縮（ｕｎｃｏｍｐｒｅｓｓｅｄ）Ａ／Ｖデータ（オーディオデータまたはビデオデータのうち、少なくとも一つ）を送信する実施の形態である。
【０１３８】
まず、ソース機器及びシンク機器がＨＤＭＩケーブルで接続される（Ｓ９０００）。ＨＤＭＩケーブルが接続されると、ソース機器は、５Ｖの電力ラインをロウレベルからハイレバルに転換し、電流を印加する（Ｓ９０１０）。これにより、ソース機器は、シンク機器のＥＤＩＤ情報が格納されたＥＥＰＲＯＭ及び関連回路を動作させることができる。シンク機器は、ＨＰＤ（Ｈｏｔ  Ｐｌｕｇ  Ｄｅｔｅｃｔ）ラインをロウレベルからレベルに転換して（Ｓ９０２０）、ケーブルが正常に接続され、ＥＤＩＤ関連回路が活性化されて、ＥＤＩＤ情報のアクセスが可能であることをソース機器に知らせることができる。
【０１３９】
これからソース機器は、シンク機器にＤＤＣを介してＥＤＩＤ情報読み取り要請を送信できる（Ｓ９０３０）。ソース機器のＥＤＩＤ読み取り要請に対する応答として、シンク機器は、ＤＤＣを介してＥＥＰＲＯＭに格納されたＥＤＩＤ情報を送信できる（Ｓ９０４０）。本発明の実施の形態において、ＥＤＩＤ情報は、上述のＨＦ−ＶＳＤＢとして送信されることができる。
【０１４０】
シンク機器は、受信したＥＤＩＤ情報をパッシング（ｐａｒｓｉｎｇ）して、シンク機器に送信するＡ／Ｖデータの動作パラメータ（タイミング、フォーマット等）を決定し（Ｓ９０５０）、送信する非圧縮（ｕｎｃｏｍｐｒｅｓｓｅｄ）Ａ／Ｖデータと関連した、決定された動作パラメータをソース機器に送信できる（Ｓ９０６０）。本発明の実施の形態において、動作パラメータは、ＨＦ−ＶＳＩＦとして送信されることもできる。
【０１４１】
最後に、ソース機器は、決定された動作パラメータで制御される非圧縮Ａ／Ｖデータをシンク機器に送信できる（Ｓ９０７０）。
【０１４２】
図９は、Ａ／Ｖデータを送信する方法を示す。ただし、シンク機器がソース機器に充填／駆動のための電力を提供することができる場合、シンク機器は、電力伝達支援情報及び提供可能な電力特性情報などをソース機器に知らせなければならない。また、ソース機器は、このような情報に基づいてシンク機器に必要な電力特性情報を要請し、それに応じる電力を受信しなければならない。また、充填が完了する等の場合、ソース機器がシンク機器の電力伝達機能をコントロールしなければならない必要もある。以下、ＨＤＭＩを介して電力を送受信する方法について、さらに詳細に説明する。
【０１４３】
図１０は、本発明の実施の形態にかかるＨＤＭＩを介した電力送受信方法を示す。特に、図１０は、電力伝達支援有無をシンク機器で判断する方法を示す。
【０１４４】
まず、ステップＳ１００００からステップＳ１００３０までは、図９のステップＳ９０１０にてステップＳ９０３０と同様に行われ、これについての説明は重複しない。図１０は、図９のフローチャートに追加される動作を含むものであって、図９においてと同じ説明は、図１０で再度述べなくても良いので、図１０の説明にも適用できる。
【０１４５】
図１０において、ＥＤＩＤ情報読み取り要請を受信したシンク機器は、電力伝達支援（ｐｏｗｅｒ  ｄｅｌｉｖｅｒｙ  ｓｕｐｐｏｒｔ）情報を含むＥＤＩＤ情報をＤＤＣを介してソース機器に送信できる（Ｓ１００４０）。送信される電力伝達支援情報は、シンク機器が電力伝達を支援するかどうか及びどんな用量の電力伝達を支援するかに対する情報を含むことができる。言い換えれば、電力伝達支援情報は、シンク機器の電力伝達支援有無を表す伝達支援情報及び支援する電力を表す支援電力特性情報を含むことができる。上述のように、このようなＥＤＩＤ情報は、ＥＥＰＲＯＭで読み取られてＨＦ−ＶＳＤＢとして送信されることもできる。
【０１４６】
ソース機器は、受信したＥＤＩＤ情報をパッシング（ｐａｒｓｉｎｇ）し、シンク機器が電力伝達を支援するかどうかを確認することができる（Ｓ１００５０）。そして、シンク機器が電力伝達を支援する場合、ソース機器は、電力伝達要請情報を送信して、電力伝達をアレンジ（ａｒｒａｎｇｅ）できる（Ｓ１００６０）。
【０１４７】
電力伝達要請情報は、ソース機器の要請電力特性情報を含むことができる。要請電力特性情報は、ソース機器が受信しなければならない／受信できる電力レベルまたは電力量を表すことができ、要請電力特性情報の送信自体がソース機器が電力受信を支援することを表すこともできる。本明細書において、要請電力特性情報は、電圧（Ｖ）単位で表示／説明するが、実施の形態によって他の単位（Ｗ）で表すこともできる。
【０１４８】
シンク機器は、ソース機器から受信した電力特性情報をシンク機器が支援する支援電力特性情報と比較／マッチングして、電力送信が可能であるかどうかを決定できる（Ｓ１００７０）。シンク機器は、電力情報のマッチングに応じる電力送信可能有無及びマッチングされた電力特性情報をアレンジ要請に応じる応答としてソース機器に送信できる（Ｓ１００８０）。そして、電力送信が可能な場合、シンク機器は、電力送信／伝達を開始できる（Ｓ１００９０）。シンク機器は、受信した要請電力特性情報とシンク機器の支援電力特性情報でマッチングされる電力レベルで電力を送信できる。
【０１４９】
図１１は、本発明の実施の形態にかかるＨＤＭＩを介した電力送受信方法であって、ＳＣＤＣを使用して電力マッチングを行う方法を示す。
【０１５０】
図１１は、図１０のステップ（Ｓ１００６０）をＳＣＤＣを使用して行う方法をさらに詳細に説明した図であって、図１０及び図１１の他のステップについての同じ説明は省略することにする。
【０１５１】
図１０のステップ（Ｓ１００６０）にて、ソース機器は、電力伝達をアレンジするためにシンク機器にソース機器が受信しなければならない電力伝達要請情報を送信する。電力伝達要請情報は、ソース機器の要請電力特性情報を含む。電力伝達要請情報／要請電力特性情報の送信は、ＳＣＤＣを使用して行われることができる。このために、本発明は、ＳＣＤＣＳに電力伝達構成レジスタ（ｐｏｗｅｒ  ｄｅｌｉｖｅｒｙ  ｃｏｎｆｉｇｕｒａｔｉｏｎ  ｒｅｇｉｓｔｅｒｓ）を具現する。電力伝達構成レジスタは、電力要請（ｐｏｗｅｒ  ｒｅｑｕｅｓｔ）レジスタと呼ぶこともできる。そして、電力伝達要請情報は、要請電力特性情報を含むＳＣＤＣ書き込みメッセージとして具現する。
【０１５２】
ソース機器は、シンク機器のＳＣＤＣに要請（ｒｅｑｕｉｒｅｄ）電力を構成（ｃｏｎｆｉｇｕｒｅ）するＳＣＤＣ書き込みメッセージを送信できる（Ｓ１１０６０）。要請電力特性情報構成のためのＳＣＤＣ書き込みメッセージの実施の形態は、図１１（ａ）のとおりであり、このメッセージは、図１０の電力伝達要請情報に該当する。
【０１５３】
図１１（ａ）の要請電力特性情報構成のためのＳＣＤＣ書き込みメッセージ、すなわち電力伝達要請メッセージは、ＳＣＤＣＳでの電力伝達構成レジスタの位置を表すオフセットフィールド（Ｓｕｂ−Ａｄｄｒｅｓｓ＝ｐｏｗｅｒ  ｒｅｑｕｅｓｔ  ｒｅｇｉｓｔｅｒ  ｏｆｆｓｅｔ）及び要請電圧を表すデータフィールド（Ｄａｔａ＝Ｒｅｑｕｉｒｅｄ  Ｖｏｌｔａｇｅ；要請電力特性情報）を含むことができる。言い換えれば、電力伝達要請メッセージは、電力伝達構成レジスタのオフセット情報及び要請電力特性情報（電圧単位）を含むことができる。このメッセージを受信したシンク機器は、電力伝達構成レジスタにメッセージのような電力伝達要請情報を書き込むことができる。
【０１５４】
図１１（ｂ）は、電力伝達構成レジスタの実施の形態である。実施の形態として、電力伝達構成レジスタのオフセットとしてＳＣＤＣＳの予備オフセット（Ｒｅｓｅｒｖｅｄ  ｆｏｒ  Ｃｏｎｆｉｇｕｒａｔｉｏｎ（０ｘ３１−０ｘ３Ｆ）またはＲｅｓｅｒｖｅｄ（Ａｌｌ  ｒｅｍａｉｎｉｎｇ  Ｏｆｆｓｅｔｓ））が割り当てられることができる。要請電圧特性情報は、ソース機器が受信しようとする電力レベルを電圧レベルで表すことができる。図１１（ｂ）の実施の形態において、電力レベルは、３．３Ｖ、５Ｖ、９Ｖ、１２Ｖまたはベンダー−特定（Ｖｅｎｄｏｒ−ｄｅｆｉｎｅｄ）フィールドにそれぞれビット０〜４が割り当てられる。ソース機器が要請した電力レベルに該当するフィールドのビットを１に設定するか、または要請した電力レベルがレジスタにないと、ベンダー−特定フィールドのビットを１に設定して、追加にベンダー−特定電圧レジスタで所望の電圧を表すことができる。
【０１５５】
図１１（ｃ）は、ベンダー−特定電圧レジスタの実施の形態である。実施の形態として、ベンダー−特定電圧レジスタのオフセットは、ＳＣＤＣＳの予備オフセット（Ｒｅｓｅｒｖｅｄ  ｆｏｒ  Ｃｏｎｆｉｇｕｒａｔｉｏｎ（０ｘ３１−０ｘ３Ｆ）またはＲｅｓｅｒｖｅｄ（Ａｌｌ  ｒｅｍａｉｎｉｎｇ  Ｏｆｆｓｅｔｓ））に割り当てられることができる。ベンダー−特定電圧レジスタには、電力伝達構成レジスタでそれぞれ１ビットで表示しない他の電圧（ベンダー−特定電圧）を表すために複数のビットが割り当てられることができる。図１１（ｃ）の実施の形態において、ビット０〜７が割り当てられ、この中でビット７〜３は、レゾリューション１Ｖ単位に１２Ｖまで電圧を表すのに割り当てられ、ビット２〜０は、レゾリューション０．２Ｖ単位に電圧を表すのに割り当てられることができる。例えば、ビット７〜３における０００１は１Ｖ、００１０は２Ｖ、００１１は３Ｖを表し、ビット２〜０における０００は０．０Ｖ、００１は０．２Ｖ、０１０は０．４Ｖをさらに表すことができる。
【０１５６】
言い換えれば、ソース機器は、要請電力特性情報を含むＳＣＤＣ書き込みメッセージである電力伝達要請情報をシンク機器に送信できる。このメッセージを介してソース機器は、シンク機器のＳＣＤＣＳレジスタに受信可能な電力を電圧単位に書き込むことができる。そして、シンク機器は、このような要請電力特性情報とシンク機器の支援電力特性情報とをマッチングして、マッチングされる電力レベルのうち、少なくとも一つのレベルで電力を送信できる。マッチングされる電力レベルが複数である場合、効率のために最も高い電力を送信するか、または安定性のために、中間または低い電力を送信することもでき、これは、コントロールユニットの予め設定されたセッティングにより決定されることができる。
【０１５７】
図１２は、本発明の実施の形態にかかるＨＤＭＩを介した電力送受信方法であって、ＳＣＤＣを使用して電力マッチングを行う方法を示す。
【０１５８】
図１２は、図１０のステップＳ１００８０をＳＣＤＣを使用して行う方法をさらに詳細に説明した図であって、図１０及び図１１の他のステップについての同じ説明は省略することにする。
【０１５９】
図１０のステップＳ１００８０において、シンク機器は、電力伝達アレンジに対する応答をソース機器に送信する。これは、ＳＣＤＣを使用して行われることができ、以下で説明する。このために、本発明は、ＳＣＤＣＳにステータスフラグレジスタ（ｓｔａｔｕｓ  ｆｌａｇ  ｒｅｇｉｓｔｅｒｓ）に電力レディー情報を具現する。そして、電力伝達要請情報に対する応答は、ＳＣＤＣ読み取りメッセージとして具現する。
【０１６０】
シンク機器は、ＳＣＤＣアップデート読み取りメッセージを送信し（Ｓ１２０８０−１）、ＳＣＤＣステータス読み取りメッセージ（Ｓ１２０８０−２）を送信することによって、ソース機器に電力レディー情報のアップデートを知らせ、ソース機器が電力レディー情報を読むようにすることができる。電力レディー情報は、ステータスフラグレジスタに一つのフィールドとして設定されることができ、１ビットで具現されることができる。
【０１６１】
図１２（ａ）は、ステータスフラグレジスタの実施の形態である。ステータスフラグレジスタは、電力レディー（ｐｏｗｅｒ＿ｒｅａｄｙ）フィールドを含むことができる。電力レディー情報は、実施の形態として、ＳＣＤＣＳのオフセット０ｘ４１に位置できる。電力レディー情報は、ソース機器が要請した電力供給が可能であるかどうかを表すことができる。シンク機器は、ソース機器に受信した要請電力特性情報とシンク機器の支援電力特性情報とを比較して（Ｓ１２０７０）、シンク機器がソース機器が要請する電力を支援可能な場合、電力レディーフィールドを１に設定し、これをソース機器が読み取ることによって電力受信を用意するようにする。
【０１６２】
シンク機器は、ソース機器が要請した電力送信をシンク機器が支援する場合、ステータスフラグレジスタに含まれた電力レディーフィールドを１に設定できる。そしてシンク機器は、電力レディーフィールドが１に設定されたことをソース機器に知らせなければならなく、このために、２個のメッセージ−アップデート読み取りメッセージ及びステータス読み取りメッセージをソース機器に送信できる（Ｓ１２０８０−１、Ｓ１２０８０−２）。
【０１６３】
図１２（ｂ）は、ＳＣＤＣアップデート読み取りメッセージを示す。このメッセージは、シンク機器のアドレス（Ｓｌｖ  Ａｄｄｒ＝０ｘ５４）、及びアップデート情報（Ｕｐｄａｔｅ＿０及びＵｐｄａｔｅ＿１）を含む。シンク機器は、アップデート読み取りメッセージをソース機器に送信することによって、シンク機器のＳＣＤＣＳにアップデートが発生したことを知らせることができる。
【０１６４】
図１２（ｃ）は、ＳＣＤＣステータス読み取りメッセージを示す。このメッセージは、シンク機器のアドレス情報（Ｓｌｇ  Ａｄｄｒ＝０ｘ５４）、読み取る情報のレジスタ値（０ｘ４１）及び読むデータに対する情報（Ｄａｔａ＝０ｘ０４、０ｘ０２または０ｘ０１）を含むことができる。シンク機器は、ステータス読み取りメッセージを送信することによって、アップデートされたステータスフィールドをソース機器に知らせることができる。ソース機器は、ステータス読み取りメッセージに応じて、スレーブアドレスが０ｘ５４であるシンク機器の０ｘ５４から０ｘ４１だけ離れられたステータスレジスタ（ｓｔａｔｕｓ＿１  ｒｅｇｉｓｔｅｒ）の値を読み取ることによって、電力レディー情報を読み取ることができる。
【０１６５】
ソース機器は、ＳＣＤＣアップデート読み取りメッセージを介してＳＣＤＣＳにアップデートが発生したことを認識し、ＳＣＤＣステータス読み取りメッセージに応じて電力レディー情報を読み取ることができる。電力レディー情報が１である場合、ソース機器は、シンク機器の電力送信が用意されたと判断し、電力受信を用意／待機する。
【０１６６】
最後に、シンク機器がマッチングされた電力特性情報に応じて電力を送信し（Ｓ１２０９０）、よってソース機器は、電力を受信する。
【０１６７】
図１３は、本発明の実施の形態にかかるＨＤＭＩを介した電力送受信方法を示す。特に、図１３は、図１０の実施の形態とは異なり、電力伝達が可能であるかどうかをソース機器で判断する方法を示す。
【０１６８】
まず、ステップＳ１３０００からステップＳ１３０３０までは、図９のステップＳ９０１０にてステップＳ９０３０と同様に行われ、これについての説明は省略することにする。図１３は、図９のフローチャートに追加される動作を含むものであって、図９においてと同じ説明は、図１３において再度述べられなくても、図１３の説明に適用可能である。
【０１６９】
図１３において、ＥＤＩＤ情報読み取り要請を受信したシンク機器は、電力伝達支援（ｐｏｗｅｒ  ｄｅｌｉｖｅｒｙ  ｓｕｐｐｏｒｔ）情報を含むＥＤＩＤ情報を、ＤＤＣを介してソース機器に送信できる（Ｓ１３０４０）。送信される電力伝達支援情報は、シンク機器が電力伝達を支援しているかどうか及びどんな用量の電力伝達を支援するかに対する情報を含むことができる。言い換えれば、電力伝達支援情報は、シンク機器の電力伝達支援有無を表す伝達支援情報及び伝達可能な電力を表す支援電力特性情報を含むことができる。上述のように、このようなＥＤＩＤ情報は、ＥＥＰＲＯＭで読み取られてＨＦ−ＶＳＤＢとして送信されることもできる。
【０１７０】
ソース機器は、受信したＥＤＩＤ情報をパッシング（ｐａｒｓｉｎｇ）し、シンク機器が電力伝達を支援するかどうかを確認することができる（Ｓ１３０５０）。ソース機器は、シンク機器が電力伝達が可能であるか及びどんなレベルの電力が送信可能であるかを確認することができる。
【０１７１】
そして、シンク機器が電力伝達を支援する場合、ソース機器は、電力特性情報をマッチングできる（Ｓ１３０６０）。電力特性情報は、ソース機器が受信しなければならない／受信することができる電力レベルを表すことができ、電力情報の送信自体がソース機器が電力受信を支援することを表すこともできる。ソース機器は、シンク機器の支援電力特性情報とソース機器の要請電力特性情報とを比較／マッチングし、マッチングされた電力特性情報（ｍａｔｃｈｅｄ  ｐｏｗｅｒ  ｃｈａｒａｃｔｅｒｉｓｔｉｃ  ｉｎｆｏｒｍａｔｉｏｎ）をシンク機器に送信できる（Ｓ１３０７０）。マッチングされた電力特性情報は、本明細書でマッチングされた電力能力情報（ｍａｔｃｈｅｄ  ｐｏｗｅｒ  ｃａｐａｂｉｌｉｔｙ  ｉｎｆｏｒｍａｔｉｏｎ）と呼ぶことができる。
【０１７２】
マッチングされる電力特性情報は、ソース機器が支援する要請電力特性情報及びシンク機器が支援する支援電力特性情報でマッチングされたレベルの電力情報を含む。例えば、ソース機器の要請電力特性情報は、５Ｖ及び９Ｖを含み、シンク機器の支援電力特性情報は、９Ｖ及び１２Ｖを含む場合、マッチングされた電力特性情報は、９Ｖを含む。ただし、マッチングされた電力特性情報もまたソース機器から送信され、ソース機器の要請電力特性情報に含まれた電力レベルのうちの一つに該当するはずなので、本明細書では、マッチングされた電力特性情報を要請電力特性情報と呼ぶこともできる。マッチングされた電力特性情報もまた、ソース機器が受信を要請する電力特性情報に該当するためである。ただし、ソース機器で電力特性マッチングがさらに行われた場合には、必要によってこれをマッチングされた電力特性情報と呼ぶこともできる。
【０１７３】
シンク機器は、受信したマッチングされた電力特性情報に基づいて、電力送信／伝達を開始できる（Ｓ１３０８０）。
【０１７４】
図１４は、本発明の実施の形態にかかるＨＤＭＩを介した電力送受信方法であって、ＳＣＤＣを使用してマッチングされた電力に対する情報を送信する方法を示す。
【０１７５】
図１４は、図１３のステップ（Ｓ１３０６０）をＳＣＤＣを使用して行う方法をさらに詳細に説明した図であって、図１０及び図１３の他のステップに対する同じ説明は省略することにする。
【０１７６】
図１４のステップ（Ｓ１４０６０）にて、ソース機器は、適切な電力を受信するためにマッチングされた電力特性情報をシンク機器に送信する。これは、ＳＣＤＣを使用して行われることができ、以下で説明する。このために、本発明は、ＳＣＤＣＳに電力伝達構成レジスタ（ｐｏｗｅｒ  ｄｅｌｉｖｅｒｙ  ｃｏｎｆｉｇｕｒａｔｉｏｎ  ｒｅｇｉｓｔｅｒｓ）を具現する。電力伝達構成レジスタは、電力要請（ｐｏｗｅｒ  ｒｅｑｕｅｓｔ）レジスタと呼ぶことができる。そして、マッチングされた電力特性情報は、ＳＣＤＣ書き込みメッセージとして具現する。
【０１７７】
ソース機器は、シンク機器のＳＣＤＣにマッチングされた（ｍａｔｃｈｅｄ）電力を構成（ｃｏｎｆｉｇｕｒｅ）するようＳＣＤＣ書き込みメッセージを送信できる（Ｓ１４０７０）。電力情報構成のためのＳＣＤＣ書き込みメッセージの実施の形態は、図１４（ａ）のとおりであり、このメッセージは、図１３のマッチングされる電力特性情報に該当する。
【０１７８】
図１４（ａ）の電力特性情報構成のためのＳＣＤＣ書き込みメッセージ、すなわちマッチングされた電力伝達要請メッセージは、ＳＣＤＣＳでの電力伝達構成レジスタの位置を表すオフセットフィールド（Ｓｕｂ−Ａｄｄｒｅｓｓ＝ｐｏｗｅｒ  ｒｅｑｕｅｓｔ  ｒｅｇｉｓｔｅｒ  ｏｆｆｓｅｔ）及びマッチングされた電力レベルを表すデータフィールド（Ｄａｔａ＝Ｒｅｑｕｉｒｅｄ  Ｖｏｌｔａｇｅ；マッチングされた電力情報）を含むことができる。言い換えれば、電力伝達要請メッセージは、電力伝達構成レジスタのオフセット情報及びマッチングされた電力特性情報（電圧単位）を含むことができる。このメッセージを受信したシンク機器は、電力伝達構成レジスタにメッセージのような電力伝達要請情報を書き込む。
【０１７９】
図１４（ｂ）は、電力伝達構成レジスタの実施の形態である。実施の形態として、電力伝達構成レジスタのオフセットとしてＳＣＤＣＳの予備オフセット（Ｒｅｓｅｒｖｅｄ  ｆｏｒ  Ｃｏｎｆｉｇｕｒａｔｉｏｎ（０ｘ３１−０ｘ３Ｆ）またはＲｅｓｅｒｖｅｄ（Ａｌｌ  ｒｅｍａｉｎｉｎｇ  Ｏｆｆｓｅｔｓ））が割り当てられることができる。マッチングされた電圧特性情報は、ソース機器が受信しようとする電力レベルを電圧レベルで表すことができる。図１１（ｂ）の実施の形態において、電力レベルは、３．３Ｖ、５Ｖ、９Ｖ、１２Ｖまたはベンダー−特定（Ｖｅｎｄｏｒ−ｄｅｆｉｎｅｄ）フィールドにビット０〜４がそれぞれ割り当てられる。ソース機器が要請した電力レベルに該当するフィールドのビットを１に設定して表すか、またはマッチングされた電力レベルがレジスタにないと、ベンダー−特定フィールドのビットを１に設定して、追加にベンダー−特定電圧レジスタで所望の電圧を表すことができる。
【０１８０】
図１４（ｃ）は、ベンダー−特定電圧レジスタの実施の形態である。実施の形態として、ベンダー−特定電圧レジスタのオフセットは、ＳＣＤＣＳの予備オフセット（Ｒｅｓｅｒｖｅｄ  ｆｏｒ  Ｃｏｎｆｉｇｕｒａｔｉｏｎ（０ｘ３１−０ｘ３Ｆ）またはＲｅｓｅｒｖｅｄ（Ａｌｌ  ｒｅｍａｉｎｉｎｇ  Ｏｆｆｓｅｔｓ））に割り当てられることができる。ベンダー−特定電圧レジスタには、電力伝達構成レジスタでそれぞれ１ビットで表示しない他の電圧（ベンダー−特定電圧）を表すために、複数のビットが割り当てられることができる。図１１（ｃ）の実施の形態において、ビット０〜７が割り当てられ、このうち、ビット７〜３は、レゾリューション１Ｖ単位で１２Ｖまで電圧を表すのに割り当てられ、ビット２〜０は、レゾリューション０．２Ｖ単位で電圧を表すのに割り当てられることができる。例えば、ビット７〜３で０００１は１Ｖ、００１０は２Ｖ、００１１は３Ｖを表し、ビット２〜０で０００は０．０Ｖ、００１は０．２Ｖ、０１０は０．４Ｖをさらに表すことができる。
【０１８１】
図１４のように、ソース機器がマッチングされた電力特性情報をシンク機器のＳＣＤＣＳに書き込むと、シンク機器は、ＳＣＤＣＳに書き込まれた電力情報に応じて電力送信を行うことができる（Ｓ１４０８０）。
【０１８２】
以下、ソース機器でシンク機器の電力伝達を制御する方法について説明する。
【０１８３】
図１５は、本発明の実施の形態にかかるシンク機器の電力伝達制御方法を示す。
【０１８４】
図１５は、ソース機器とシンク機器とは、ＨＤＭＩケーブルで接続した状態で、電源伝達が可能であるが、現在は電源伝達をしていない状況を仮定する。
【０１８５】
ソース機器は、電源供給が必要であることをディテクトできる（Ｓ１５０１０）。ソース機器は、ソース機器のバッテリー充填程度がスレッショルド以下の場合などをディテクトでき、このような場合が電源供給または再充填が必要な状況に該当できる。したがって、このような場合、ソース機器は、シンク機器に電力伝達機能活性化を要請できる（Ｓ１５０２０）。
【０１８６】
シンク機器（Ｓ１５０３０）は、ソース機器の要請によって電力伝達機能を活性化できる。そして、ソース機器は、電力伝達要請情報を送信して電力伝達をアレンジするか、またはマッチングされた電力情報を送信できる（Ｓ１５０４０）。このステップは、図１０のステップＳ１００６０または図１３のステップＳ１３０７０のうち、少なくとも一つを行うことによって実施されることができる。そして、シンク機器は、マッチングされた電力情報に応じてソース機器に電力を伝達できる（Ｓ１５０５０）。
【０１８７】
そして、ソース機器は、電力伝達が不必要であることをディテクトできる（Ｓ１５０６０）。ソース機器は、バッテリー充填程度がスレッショルド超過の場合、または電源ケーブルが接続した場合などをディテクトし、このような場合が電力伝達が不必要な状況に該当できる。したがって、このような場合、ソース機器は、シンク機器に電力伝達機能非活性化を要請できる（Ｓ１５０７０）。
【０１８８】
シンク機器は、ソース機器の電力伝達機能非活性化要請に応じて電力伝達機能を非活性化できる（Ｓ１５０８０）。
【０１８９】
図１５の電力伝達機能活性化要請（Ｓ１５０２０）及び電力伝達機能活性化（Ｓ１５０３０）は、図１０ないし図１４で電力を受信するためにさらに行われることもできる。
【０１９０】
図１６は、本発明の実施の形態にかかるシンク機器の電力伝達制御方法であって、ＳＣＤＣを使用して電力伝達を制御する方法を示す。
【０１９１】
図１６は、図１５の方法において、ＳＣＤＣを介して電力伝達機能を活性化する方法をさらに示す。電力伝達機能を制御するために、本発明は、ＳＣＤＣＳに含まれた構成（ｃｏｎｆｉｇｕｒａｔｉｏｎ）レジスタに電力伝達活性化フィールド／情報を設定できる。
【０１９２】
図１５のように、ソース機器は、電力伝達機能活性化要請を送信できる。図１６においてこれをＳＣＤＣを使用して示すと、ソース機器は、電力伝達活性化情報を書き込み／セットするＳＣＤＣ書き込みメッセージを送信できる。
【０１９３】
図１６（ａ）は、本発明の実施の形態にかかる電力伝達活性化フィールドをセットするＳＣＤＣ書き込みメッセージを示す。図１６（ａ）の書き込みメッセージは、スレーブアドレス情報（ＳｌｖＡｄｄｒ＝０ｘ５４）及びサブアドレス（オフセット）情報（Ｓｕｂ−Ａｄｄｒｅｓｓ＝０ｘ３０）及びデータ（Ｄａｔａ＝Ｐｏｗｅｒ  Ｄｅｌｉｖｅｒｙ  Ｅｎａｂｌｅ）を含み、データは、電力伝達活性化フィールドセッティング命令を示す。すなわち、このメッセージは、スレーブアドレスが０ｘ５４であるシンク機器のオフセット０ｘ３０のレジスタ（構成レジスタ）の電力伝達活性化フィールドを１にセットしろとの要請を示す。
【０１９４】
図１５のように、シンク機器は、受信要請によって電力伝達機能を活性化できる。図１６において、これをＳＣＤＣＳを介して示すと、シンク機器は、ＳＣＤＣＳに含まれた電力伝達活性化フィールドを１に設定することによって、電力伝達機能を活性化できる。
【０１９５】
図１６（ｂ）は、本発明の実施の形態にかかる構成レジスタを示す。本発明では、構成レジスタに含まれた予備ビットのうちの一つのビットを電力伝達活性化フィールド（ＰＤ＿Ｅｎａｂｌｅ）に割り当てることができる。電力伝達活性化フィールドが１に設定されると、電力伝達機能が活性化されることを表し、０に設定されると、電力伝達機能が非活性化されることを示す。
【０１９６】
シンク機器は、電力伝達活性化フィールドの値を設定（１と書き込む）するＳＣＤＣ書き込みメッセージをソース機器に送信することによって、ソース機器の電力伝達機能をコントロールできる。すなわち、シンク機器が充填完了をディテクトした場合（Ｓ１６０６０）、シンク機器は、電力伝達を非活性化するＳＣＤＣ書き込みメッセージを送信できる（Ｓ１６０７０）。このＳＣＤＣ書き込みメッセージは、シンク機器のＳＤＣＤＳに含まれた構成レジスタの電力伝達活性化フィールドの値を０に設定しろとのメッセージに該当できる。ソース機器は、このメッセージに応じて電力伝達活性化情報を０に再度設定することによって、電力伝達機能を非活性化できる（Ｓ１６０８０）。
【０１９７】
図１７は、本発明の実施の形態にかかるＨＦ−ＶＳＤＢを示す。
【０１９８】
図１７のＨＦ−ＶＳＤＢは、図１１及び図１３の実施の形態において電力伝達支援情報を含むＥＤＩＤ情報として送信されることができる。言い換えれば、シンク機器は、図１７のＨＦ−ＶＳＤＢをソース機器に送信することによって、シンク機器の電力伝達支援有無及び支援される電力レベルをシグナリングできる。図１７では、新しいＨＦ−ＶＳＤＢを定義することで、既存のＨＦ−ＶＳＤＢと区別するためにバージョンナンバーフィールドを２に設定できる。図１７において、ＨＦ−ＶＳＤＢは、伝達支援情報及び支援電力特性情報を含むことができる。
【０１９９】
伝達支援情報は１ビットであり、シンク機器が電力送信を支援するかどうかを表すことができる。実施の形態として、伝達支援フィールドは、ＨＦ−ＶＳＤＢのバイト６のビット５〜４またはバイト７のビット７〜３のうちのいずれか一つのビットを使用することができる。伝達支援フィールド／情報が１に設定されると、シンク機器が電力を供給できることを表し、０に設定されると、供給できないことを表す。
【０２００】
支援電力特性情報は、シンク機器が電力送信を支援する場合に供給できる電力を示す。シンク機器が伝達可能な電力は、電力レベルまたは電力量で表し、上述のように電圧単位で表すことができる。実施の形態として、シンク機器が支援可能な電力レベルをバイト８の該当ビットに設定して表すことができる。例えば、図１７のように、８バイトの３ビットに１２Ｖ電力レベル、２ビットに９Ｖ電力レベル、１ビットに５Ｖ電力レベル、０ビットに３．３Ｖ電力レベルをそれぞれ設定し、該当する電力レベルのビット値を１に設定して、支援可能な電力レベルを表すことができる。
【０２０１】
１ビットに設定されない電力レベル値は、ベンダー特定情報として表すことができる。実施の形態として、８バイトのビット４をベンダー特定電力レベルで表し、９バイトをベンダー特定電力レベル程度として使用することができる。３．３Ｖ、５Ｖ、９Ｖ、１２Ｖ以外の電力レベル値を支援する場合には、８バイトのビット４を１にセットし、該当電力レベル値をバイト９を使用して表すことができる。
【０２０２】
本発明は、シンク機器がソース機器への電源供給支援有無及び関連特性情報定義、そしてこれをソース機器に伝達する方法、ソース機器で要求する電源特性情報定義及びこれをシンク機器に伝達する方法、そしてシンク機器の電源供給機能動作制御方法を提示する。
【０２０３】
１）ソースとシンク機器との間の電源供給及び電源供給要請関連特性情報定義、交換、及び設定方法−シンク機器で電源特性情報マッチング
【０２０４】
ソース機器とシンク機器とが接続されたとき、シンク機器は、Ｅ−ＥＤＩＤのＶＳＤＢにシンク機器の電源供給機能支援有無情報を込めてＤＤＣを介してソース機器に送信する。これを受信し解析したソース機器は、シンク機器が電源供給機能が支援されることを確認すると、ソース機器が供給されようとする電源特性情報をＳＣＤＣを介してシンク機器に送信する。これを受信したシンク機器は、シンク機器が支援可能な電源特性情報とマッチングして、その結果をＳＣＤＣを介してソース機器に伝達する。シンク機器が支援可能な電源特性情報は、ＳＣＤＣＳにすべて記述できる。
【０２０５】
２）ソースとシンク機器との間の電源供給及び電源供給要請関連特性情報定義、交換、及び設定方法−ソース機器で電源特性情報マッチング
【０２０６】
ソース機器とシンク機器とが接続されたとき、シンク機器は、Ｅ−ＥＤＩＤのＶＳＤＢにシンク機器の電源供給機能支援有無情報及び支援可能な電源特性情報を込めて、ＤＤＣを介してソース機器に送信する。これを受信し解析したソース機器は、シンク機器が電源供給機能が支援されることを確認すると、供給されようとする電源特性情報とシンク機器で支援可能な電源特性情報とをマッチングし、その結果をシンク機器にＳＣＤＣを介して知らせる。シンク機器が支援可能な電源特性情報は、ＳＣＤＣＳにすべて記述できる。
【０２０７】
３）シンク機器の電源供給機能動作の制御方法
【０２０８】
シンク機器がソース機器に電源を供給する前、ソース機器は、機器状態に応じてシンク機器の電源供給機能を活性化及び非活性化させることができる。このために、シンク機器のＳＣＤＣＳに電源供給機能を活性化及び非活性化を表すビットを定義する。そして、定義されたビットを制御するにおいて、ＳＣＤＣを介してシンク機器のＳＣＤＣＳに定義された電源供給機能関連ビットを１にセットすることによって、電源供給機能の活性化が可能である。また、ソース機器が電源供給を受けている途中で機器状態に応じてＳＣＤＣを介してシンク機器のＳＣＤＣＳに定義された電源供給機能関連ビットを０にセットすることによって、電源供給機能非活性化が可能である。
【０２０９】
本発明の思想または範囲から外れずに本発明で多様な変更及び変形が可能であることは当業者にとって理解されるはずである。したがって、本発明は、添付された請求項及びその同等範囲内で提供される本発明の変更及び変形を含むように意図される。
【０２１０】
本明細書で装置及び方法発明がすべて言及され、装置及び方法発明両方の説明は、互いに補完して適用されることができる。
【０２１１】
多様な実施の形態が本発明を実施するための最善の形態で説明された。
【産業上の利用可能性】
【０２１２】
本発明は、一連のＨＤＭＩ分野において利用される。
【０２１３】
本発明の思想または範囲から逸脱せずに本発明において多様な変更及び変形が可能であることは当業者にとって明らかである。よって、本発明は、添付された請求項及びそれと同等範囲内で提供される本発明の変更及び変形を含むことを意図する。
【図１】
2017517047.tif 000003
【図２】
2017517047.tif 000004
【図３】
2017517047.tif 000005
【図４】
2017517047.tif 000006
【図５】
2017517047.tif 000007
【図６】
2017517047.tif 000008
【図７】
2017517047.tif 000009
【図８】
2017517047.tif 000010
【図９】
2017517047.tif 000011
【図１０】
2017517047.tif 000012
【図１１】
2017517047.tif 000013
【図１２】
2017517047.tif 000014
【図１３】
2017517047.tif 000015
【図１４】
2017517047.tif 000016
【図１５】
2017517047.tif 000017
【図１６】
2017517047.tif 000018
【図１７】
2017517047.tif 000019
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
ＨＤＭＩ（Ｈｉｇｈ  Ｄｅｆｉｎｉｔｉｏｎ  Ｍｅｄｉａ  Ｉｎｔｅｒｆａｃｅ）を使用して電力を受信するためのソース機器の方法であって、前記方法は、
前記ＨＤＭＩを使用してシンク機器に接続することと、
＋５Ｖの電力ライン上にハイレベルを提供することと、
ＨＰＤ（Ｈｏｔ  Ｐｌｕｇ  Ｄｅｔｅｃｔ）ライン上におけるハイレベルを検出することと、
前記シンク機器の電力伝達支援情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）を前記シンク機器から受信することと、
前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に要請電力特性情報を書き込むメッセージを送信することによって、前記ソース機器の前記要請電力特性情報を送信することであって、前記ソース機器の前記要請電力特性情報は、前記ソース機器が要請する電力を表す、ことと、
前記要請電力特性情報に応じる電力を受信することと
を含む、方法。
【請求項２】
前記電力伝達支援情報は、前記シンク機器が電力伝達を支援するか否かを表す伝達支援情報、及び前記シンク機器が支援する電力を表す支援電力特性情報のうちの少なくとも一つを含み、前記電力伝達支援情報は、ＨＦ−ＶＳＤＢ（ＨＤＭＩ  Ｆｏｒｕｍ−Ｖｅｎｄｏｒ  Ｓｐｅｃｉｆｉｃ  Ｄａｔａ  Ｂｌｏｃｋ）の形式で受信される、請求項１に記載の方法。
【請求項３】
前記シンク機器の電力伝達機能を活性化することをさらに含む、請求項１に記載の方法。
【請求項４】
前記シンク機器の電力伝達機能を活性化することは、前記シンク機器に含まれた前記ＳＣＤＣＳに含まれた電力伝達活性化情報を書き込むメッセージを送信することをさらに含む、請求項３に記載の方法。
【請求項５】
ＨＤＭＩを使用して電力を受信するソース機器であって、前記ソース機器は、
ＨＤＭＩを介してデータを送受信するＨＤＭＩ送信機と、
前記ＨＤＭＩを介した電力の受信を制御する電力マネージングユニットと、
前記ＨＤＭＩ送信機及び前記電力マネージングユニットを制御するコントロールユニットと
を備え、
前記ソース機器は、
前記ＨＤＭＩを使用してシンク機器に接続することと、
＋５Ｖの電力ライン上にハイレベルを提供することと、
ＨＰＤ（Ｈｏｔ  Ｐｌｕｇ  Ｄｅｔｅｃｔ）ライン上におけるハイレベルを検出することと、
前記シンク機器の電力伝達支援情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）を前記シンク機器から受信することと、
前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に要請電力特性情報を書き込むメッセージを送信することによって、前記ソース機器の前記要請電力特性情報を送信ことであって、前記ソース機器の前記要請電力特性情報は、前記ソース機器が要請する電力を表す、ことと、
前記要請電力特性情報に応じる電力を受信することと
を行う、ソース機器。
【請求項６】
前記電力伝達支援情報は、前記シンク機器が電力伝達を支援するか否かを表す伝達支援情報、及び前記シンク機器が支援する電力を表す支援電力特性情報のうちの少なくとも一つを含み、前記電力伝達支援情報は、ＨＦ−ＶＳＤＢ（ＨＤＭＩ  Ｆｏｒｕｍ−Ｖｅｎｄｏｒ  Ｓｐｅｃｉｆｉｃ  Ｄａｔａ  Ｂｌｏｃｋ）の形式で受信される、請求項５に記載のソース機器。
【請求項７】
前記ソース機器は、前記シンク機器の電力伝達機能を活性化する、請求項５に記載のソース機器。
【請求項８】
前記シンク機器の電力伝達機能の活性化は、前記シンク機器に含まれた前記ＳＣＤＣＳに含まれた電力伝達活性化情報を書き込むメッセージを送信することによって行われる、請求項７に記載のソース機器。
【請求項９】
ＨＤＭＩ（Ｈｉｇｈ  Ｄｅｆｉｎｉｔｉｏｎ  Ｍｅｄｉａ  Ｉｎｔｅｒｆａｃｅ）を使用して電力を送信するためのシンク機器の方法であって、前記方法は、
前記ＨＤＭＩを使用してソース機器に接続することと、
＋５Ｖの電力ライン上におけるハイレベルを検出することと、
ＨＰＤ（Ｈｏｔ  Ｐｌｕｇ  Ｄｅｔｅｃｔ）ライン上にハイレベルを提供することと、
前記シンク機器の電力伝達支援情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）を前記ソース機器に送信することと、
前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に要請電力特性情報を書き込むメッセージを受信することによって、前記ソース機器の前記要請電力特性情報を受信することであって、前記ソース機器の前記要請電力特性情報は、前記ソース機器が要請する電力を表す、ことと、
前記要請電力特性情報に応じる電力を送信することと
を含む、方法。
【請求項１０】
前記電力伝達支援情報は、前記シンク機器が電力伝達を支援するか否かを表す伝達支援情報、又は前記シンク機器が支援する電力を表す支援電力特性情報のうちの少なくとも一つを含み、前記電力伝達支援情報は、ＨＦ−ＶＳＤＢ（ＨＤＭＩ  Ｆｏｒｕｍ−Ｖｅｎｄｏｒ  Ｓｐｅｃｉｆｉｃ  Ｄａｔａ  Ｂｌｏｃｋ）の形式で送信される、請求項９に記載のシンク機器のデータ送受信方法。
【請求項１１】
前記シンク機器の電力伝達機能を活性化することをさらに含む、請求項９に記載の方法。
【請求項１２】
前記シンク機器の電力伝達機能を活性化することは、前記シンク機器の前記ＳＣＤＣＳに含まれた電力伝達活性化情報を書き込むメッセージを受信することをさらに含む、請求項１１に記載の方法。
【請求項１３】
ＨＤＭＩ（Ｈｉｇｈ  Ｄｅｆｉｎｉｔｉｏｎ  Ｍｅｄｉａ  Ｉｎｔｅｒｆａｃｅ）を使用して圧縮されたビデオデータを受信するシンク機器であって、前記シンク機器は、
ＨＤＭＩを介してデータを送受信するＨＤＭＩ受信機と、
前記ＨＤＭＩを介した電力の受信を制御する電力マネージングユニットと、
前記ＨＤＭＩ受信機及び前記電力マネージングユニットを制御するコントロールユニットと
を備え、
前記シンク機器は、
前記ＨＤＭＩを使用してソース機器に接続することと、
＋５Ｖの電力ライン上におけるハイレベルを検出することと、
ＨＰＤ（Ｈｏｔ  Ｐｌｕｇ  Ｄｅｔｅｃｔ）ライン上にハイレベルを提供することと、
前記シンク機器の電力伝達支援情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）を前記ソース機器に送信することと、
前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に要請電力特性情報を書き込むメッセージを受信することによって、前記ソース機器の前記要請電力特性情報を受信することであって、前記ソース機器の前記要請電力特性情報は、前記ソース機器が要請する電力を表す、ことと、
前記要請電力特性情報に応じる電力を送信することと
を行う、シンク機器。
【請求項１４】
前記電力伝達支援情報は、前記シンク機器が電力伝達を支援するか否かを表す伝達支援情報、及び前記シンク機器が支援する電力を表す支援電力特性情報のうちの少なくとも一つを含み、前記電力伝達支援情報は、ＨＦ−ＶＳＤＢ（ＨＤＭＩ  Ｆｏｒｕｍ−Ｖｅｎｄｏｒ  Ｓｐｅｃｉｆｉｃ  Ｄａｔａ  Ｂｌｏｃｋ）の形式で受信される、請求項１３に記載のシンク機器。
【請求項１５】
前記シンク機器は、前記シンク機器の電力伝達機能を活性化する、請求項１３に記載のシンク機器。
【請求項１６】
前記シンク機器の電力伝達機能の活性化は、前記シンク機器の前記ＳＣＤＣＳに含まれた電力伝達活性化情報を書き込むメッセージを受信することによって行われる、請求項１５に記載のシンク機器。
【手続補正２】
【補正対象書類名】明細書
【補正対象項目名】００１４
【補正方法】変更
【補正の内容】
【００１４】
また、上述の技術的課題を解決するために、ＨＤＭＩ（Ｈｉｇｈ  Ｄｅｆｉｎｉｔｉｏｎ  Ｍｅｄｉａ  Ｉｎｔｅｒｆａｃｅ）を使用して圧縮されたビデオデータを受信するシンク機器は、ＨＤＭＩを介したデータを送受信するＨＤＭＩ受信機と、前記ＨＤＭＩを介した電力受信をコントロールする電力マネージングユニットと、ＨＤＭＩ受信機及び前記電力マネージングユニットをコントロールするコントロールユニットとを備え、前記シンク機器は、接続したソース機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を受信し、前記ソース機器に前記シンク機器の電力伝達支援情報を含むＥＤＩＤを送信し、前記ソース機器の要請電力特性情報を受信し、前記要請電力特性情報に応じる電力を送信することができる。
本発明は、例えば、以下を提供する。
（項目１）
ＨＤＭＩ（登録商標）（Ｈｉｇｈ  Ｄｅｆｉｎｉｔｉｏｎ  Ｍｅｄｉａ  Ｉｎｔｅｒｆａｃｅ）を使用して電力を受信するソース機器のデータ送受信方法であって、
シンク機器が接続されると、前記シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を送信するステップと、
前記シンク機器から前記シンク機器の電力伝達支援情報を含むＥＤＩＤを受信するステップと、
前記ソース機器の要請電力特性情報を送信するステップと、
前記要請電力特性情報に応じる電力を受信するステップとを含む、ソース機器のデータ送受信方法。
（項目２）
前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として受信される、項目１に記載のソース機器のデータ送受信方法。
（項目３）
前記ソース機器の要請電力特性情報は、前記ソース機器が支援する電力を表し、
前記ソース機器の前記要請電力特性情報を送信するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを送信するステップをさらに含む、項目１に記載のソース機器のデータ送受信方法。
（項目４）
前記シンク機器の電力伝達機能を活性化するステップをさらに含む、項目１に記載のソース機器のデータ送受信方法。
（項目５）
前記シンク機器の電力伝達機能を活性化するステップは、前記シンク機器に含まれたＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを送信するステップをさらに含む、項目３に記載のソース機器のデータ送受信方法。
（項目６）
ＨＤＭＩを使用して電力を受信するソース機器であって、
ＨＤＭＩを介してデータを送受信するＨＤＭＩ送信機と、
前記ＨＤＭＩを介した電力受信を制御する電力マネージングユニットと、
前記ＨＤＭＩ送信機及び前記電力マネージングユニットをコントロールするコントロールユニットとを備え、
前記ソース機器は、
シンク機器が接続されると、前記シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を送信し、
前記シンク機器から前記シンク機器の電力伝達支援情報を含むＥＤＩＤを受信し、
前記ソース機器の要請電力特性情報を送信し、
前記要請電力特性情報に応じる電力を受信する、ソース機器。
（項目７）
前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として受信される、項目６に記載のソース機器
（項目８）
前記ソース機器の要請電力特性情報は、前記ソース機器が支援する電力を表し、
前記ソース機器の前記要請電力特性情報の送信は、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを送信することによって行われる、項目６に記載のソース機器。
（項目９）
前記ソース機器は、前記シンク機器の電力伝達機能を活性化する、項目６に記載のソース機器。
（項目１０）
前記シンク機器の電力伝達機能活性化は、前記シンク機器に含まれたＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを送信することによって行われる、項目９に記載のソース機器。
（項目１１）
ＨＤＭＩ（Ｈｉｇｈ  Ｄｅｆｉｎｉｔｉｏｎ  Ｍｅｄｉａ  Ｉｎｔｅｒｆａｃｅ））を使用して電力を送信するシンク機器のデータ送受信方法であって、
接続したソース機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を受信するステップと、
前記ソース機器に前記シンク機器の電力伝達支援情報を含むＥＤＩＤを送信するステップと、
前記ソース機器の要請電力特性情報を受信するステップと、
前記要請電力特性情報に応じる電力を送信するステップとを含む、シンク機器のデータ送受信方法。
（項目１２）
前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として送信される、項目１１に記載のシンク機器のデータ送受信方法。
（項目１３）
前記ソース機器の要請電力特性情報は、前記ソース機器が支援する電力を表し、
前記ソース機器の要請電力特性情報を受信するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを受信するステップをさらに含む、項目１１に記載のシンク機器のデータ送受信方法。
（項目１４）
前記シンク機器の電力伝達機能を活性化するステップをさらに含む、項目１１に記載のシンク機器のデータ送受信方法。
（項目１５）
前記シンク機器の電力伝達機能を活性化するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを受信するステップをさらに含む、項目１４に記載のシンク機器のデータ送受信方法。
（項目１６）
ＨＤＭＩ（Ｈｉｇｈ  Ｄｅｆｉｎｉｔｉｏｎ  Ｍｅｄｉａ  Ｉｎｔｅｒｆａｃｅ）を使用して圧縮されたビデオデータを受信するシンク機器であって、
ＨＤＭＩを介したデータを送受信するＨＤＭＩ受信機と、
前記ＨＤＭＩを介した電力受信をコントロールする電力マネージングユニットと、
ＨＤＭＩ受信機及び前記電力マネージングユニットをコントロールするコントロールユニットとを備え、
前記シンク機器は、
接続したソース機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）読み取り要請を受信し、
前記ソース機器に前記シンク機器の電力伝達支援情報を含むＥＤＩＤを送信し、
前記ソース機器の要請電力特性情報を受信し、
前記要請電力特性情報に応じる電力を送信する、シンク機器。
（項目１７）
前記電力伝達支援情報は、前記シンク機器が電力伝達を支援するかを表す伝達支援情報、及び前記シンク機器が支援する電力を表す支援電力特性情報のうち、少なくとも一つを含み、前記電力伝達支援情報は、ＨＦ−ＶＳＤＢ（ＨＤＩＭ  Ｆｏｒｕｍ−Ｖｅｎｄｏｒ  Ｓｐｅｃｉｆｉｃ  Ｄａｔａ  Ｂｌｏｃｋ）として送信される、項目１６に記載のシンク機器。
（項目１８）
前記ソース機器の要請電力特性情報は、前記ソース機器が支援する電力を表し、
前記ソース機器の要請電力特性情報を受信するステップは、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に前記要請電力特性情報を書き込むメッセージを受信することによって行われる、項目１６に記載のシンク機器。
（項目１９）
前記シンク機器の電力伝達機能を活性化する、項目１６に記載のシンク機器。
（項目２０）
前記シンク機器の電力伝達機能を活性化は、前記シンク機器のＳＣＤＣＳ（Ｓｔａｔｕｓ  ａｎｄ  Ｃｏｎｔｒｏｌ  Ｄａｔａ  Ｃｈａｎｎｅｌ  Ｓｔｒｕｃｔｕｒｅ）に含まれた電力伝達活性化情報を書き込むメッセージを受信することによって行われる、項目１６に記載のシンク機器。
【国際調査報告】
2017517047.tif 000020
2017517047.tif 000021
2017517047.tif 000022
2017517047.tif 000023